(57)【要約】ホワイトバランスの調整時には、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の複数の領域に異なるホワイトバランスを有する映像がそれぞれ表示される。その後、使用者は、ディスプレイ２００の画面２０１の領域Ａ〜Ｉに表示された異なるホワイトバランスを有する複数の映像を見比べ、画面２０１のタッチパネルを押すことにより、複数の領域のいずれかを選択する。ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の全体に選択された領域の映像が表示される。【特許請求の範囲】
【請求項１】
画面の複数の領域にそれぞれ映像を表示可能な表示装置に用いられ、異なる色にそれぞれ対応する第１、第２および第３の原色信号により表示される映像のホワイトバランスを調整するホワイトバランス調整装置であって、
第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、
前記記憶部に記憶される複数の第１の補正データのいずれか、複数の第２の補正データのいずれかおよび複数の第３の補正データのいずれかを選択する第１の選択部と、
入力された第１、第２および第３の原色信号を前記第１の選択部により選択された第１、第２および第３の補正データを用いてガンマ補正する補正部と、
ホワイトバランスの調整を指示する調整指示部とを備え、
前記第１の選択部は、前記調整指示部によりホワイトバランスの調整が指示された場合に、前記表示装置の画面の複数の領域にそれぞれ対応して第１、第２および第３の補正データの異なる複数の組み合わせを選択し、
前記補正部は、前記複数の領域に異なるホワイトバランスを有する映像をそれぞれ表示するために、入力された第１、第２および第３の原色信号を前記第１の選択部により選択された異なる複数の組み合わせの第１、第２および第３の補正データを用いて補正する、ホワイトバランス調整装置。
【請求項２】
前記表示装置の画面の複数の領域にそれぞれ表示された複数の映像のうちいずれかを選択する第２の選択部と、
前記第２の選択部により選択された映像に対応する第１、第２および第３の補正データの１つの組み合わせが選択されるように前記第１の選択部を制御する制御部とをさらに備え、
前記補正部は、前記表示装置の全画面に映像を表示するための第１、第２および第３の原色信号を前記第１の選択部により選択された１つの組み合わせの第１、第２および第３の補正データを用いて補正する、請求項１記載のホワイトバランス調整装置。
【請求項３】
ホワイトバランスの調整後にホワイトバランスの再調整を指示する再調整指示部をさらに備え、
前記制御部は、前記再調整指示部により再調整が指示された場合に、現在のホワイトバランスの調整前に前記表示装置の全画面に表示された映像のホワイトバランスで前記表示装置の全画面に映像が表示されるように前記第１の選択部を制御する、請求項２記載のホワイトバランス調整装置。
【請求項４】
ホワイトバランスの調整前に前記表示装置の全画面に表示された映像に対応する第１、第２および第３の補正データの組み合わせを保持する保持部をさらに備え、
前記制御部は、前記再調整指示部により再調整が指示された場合に、前記保持部に保持された第１、第２および第３の補正データの組み合わせが選択されるように前記第１の選択部を制御する、請求項３記載のホワイトバランス調整装置。
【請求項５】
前記第２の選択部は、前記表示装置の画面に設けられるタッチパネルを含む、請求項２〜４のいずれかに記載のホワイトバランス調整装置。
【請求項６】
画面を有する表示装置と、
前記表示装置の画面に映像を表示するために異なる色にそれぞれ対応する第１、第２および第３の原色信号を発生する信号処理部と、
前記表示装置の画面に表示される映像のホワイトバランスを調整するホワイトバランス調整装置とを備え、
前記ホワイトバランス調整装置は、
第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、
前記記憶部に記憶される複数の第１の補正データのいずれか、複数の第２の補正データのいずれかおよび複数の第３の補正データのいずれかを選択する第１の選択部と、
前記信号処理部により発生された第１、第２および第３の原色信号を前記第１の選択部により選択された第１、第２および第３の補正データを用いてガンマ補正する補正部と、
ホワイトバランスの調整を指示する調整指示部とを含み、
前記第１の選択部は、前記調整指示部によりホワイトバランスの調整が指示された場合に、前記表示装置の画面の複数の領域にそれぞれ対応して第１、第２および第３の補正データの異なる複数の組み合わせを選択し、
前記補正部は、前記信号処理部により発生された第１、第２および第３の原色信号を前記第１の選択部により選択された異なる複数の組み合わせの第１、第２および第３の補正データを用いて補正し、
前記表示装置は、前記補正部により補正された第１、第２および第３の補正データに基づいて前記複数の領域に異なるホワイトバランスを有する映像をそれぞれ表示する、映像表示装置。
【請求項７】
前記ホワイトバランス調整装置は、
前記表示装置の画面の複数の領域にそれぞれ表示された複数の映像のうちいずれかを選択する第２の選択部と、
前記第２の選択部により選択された映像に対応する第１、第２および第３の補正データの１つの組み合わせが選択されるように前記第１の選択部を制御する制御部とをさらに備え、
前記補正部は、前記信号処理部により発生された第１、第２および第３の原色信号を前記第１の選択部により選択された１つの組み合わせの第１、第２および第３の補正データを用いて補正し、
前記表示装置は、前記補正部により補正された第１、第２および第３の原色信号に基づいて映像を全画面に表示する、前記請求項６記載の映像表示装置。
【請求項８】
前記ホワイトバランス調整装置は、
ホワイトバランスの調整後にホワイトバランスの再調整を指示する再調整指示部をさらに含み、
前記制御部は、前記再調整指示部によりホワイトバランスの再調整が指示された場合に、現在のホワイトバランスの調整前に前記表示装置の全画面に表示された映像のホワイトバランスで前記表示装置の全画面に映像が表示されるように前記第１の選択部を制御する、請求項７記載の映像表示装置。
【請求項９】
前記ホワイトバランス調整装置は、
ホワイトバランスの調整前に前記表示装置の全画面に表示された映像に対応する第１、第２および第３の補正データの組み合わせを保持する保持部をさらに含み、
前記制御部は、前記再調整指示部により再調整が指示された場合に、前記保持部に保持された第１、第２および第３の補正データの組み合わせが選択されるように前記第１の選択部を制御する、請求項８記載の映像表示装置。
【請求項１０】
前記第２の選択部は、前記表示装置の画面に設けられるタッチパネルを含む、請求項７〜９のいずれかに記載の映像表示装置。
【請求項１１】
前記信号処理部は、前記調整指示部によりホワイトバランスの調整が指示された場合に、前記表示装置の画面の複数の領域に同じ形態の映像が表示されるように第１、第２および第３の原色信号を発生する、請求項６〜１０のいずれかに記載の映像表示装置。
【請求項１２】
垂直同期信号および水平同期信号を発生する同期信号発生部をさらに備え、
前記第１の選択部は、
前記同期信号発生部により発生される垂直同期信号および水平同期信号に基づいて前記表示装置の画面の複数の領域を順に選択する選択信号を発生する選択信号発生部と、
前記選択信号発生部により発生された選択信号に基づいて前記表示装置の画面の複数の領域にそれぞれ対応する第１、第２および第３の補正データの異なる複数の組み合わせを順に選択するデータ選択部とを含む、請求項６〜１１のいずれかに記載の映像表示装置。
【発明の詳細な説明】
【技術分野】
【０００１】  本発明は、映像のホワイトバランスを調整するホワイトバランス調整装置およびそれを備えた映像表示装置に関する。
【背景技術】
【０００２】  一般に、テレビジョン受像機等の映像表示装置には、ホワイトバランス調整装置が設けられている。ＣＲＴ（陰極線管）を用いた映像表示装置では、ガンマ補正のためにＲ信号（赤色信号）、Ｇ信号（緑色信号）およびＢ信号（青色信号）ごとにガンマ補正カーブがそれぞれ個別に設定されている。【０００３】  使用者が映像表示装置のホワイトバランスを調整する際には、たとえば映像表示装置の前面の操作キーによりＯＳＤ（オンスクリーン表示）による調整メニューを画面上に表示させる。使用者は、操作キーにより調整メニュー内のユーザモードでＲ（赤色）、Ｇ（緑色）およびＢ（青色）ごとにゲインを調整することにより、Ｒ信号、Ｇ信号およびＢ信号ごとに設定されたガンマ補正カーブをゲインに応じた補正量で変化させる。このようにして、Ｒ信号、Ｇ信号およびＢ信号のレベルの相互のバランスを調整することにより画面全体の映像のホワイトバランスを調整する。【０００４】  使用者がＯＳＤによる調整メニュー内に「９３００Ｋ」、「６５００Ｋ」および「５８００Ｋ」と文字で記載される色温度の中から任意の色温度を選択することによりホワイトバランスを調整する方法も提案されている（特許文献１参照）。
【特許文献１】特開昭５５−２５２０７号公報
【発明の開示】
【発明が解決しようとする課題】
【０００５】  上記のＲ信号、Ｇ信号およびＢ信号のレベルの相互のバランスを調整する方法では、調整に時間および技術を要する。また、調整前後の映像の状態を比較することができないため、使用者が視覚的に映像のホワイトバランスを調整することは困難である。【０００６】  また、色温度を選択する方法では、色温度の選択から映像の表示までには映像のホワイトバランスの状態を確認することができない。また、色温度を選択することにより映像が表示されたときに１つのホワイトバランスしか視認することができない。そのため、表示された映像のホワイトバランスが適切であるか否かを判断することが困難である。【０００７】  本発明の目的は、表示装置の画面に表示される映像のホワイトバランスを容易かつ適切に調整することができるホワイトバランス調整装置およびそれを備えた映像表示装置を提供することである。
【課題を解決するための手段】
【０００８】  本発明の一局面に従うホワイトバランス調整装置は、画面の複数の領域にそれぞれ映像を表示可能な表示装置に用いられ、異なる色にそれぞれ対応する第１、第２および第３の原色信号により表示される映像のホワイトバランスを調整するホワイトバランス調整装置であって、第１の原色信号のガンマ補正のための複数の第１の補正データ第２の原色信号のガンマ補正のための複数の第２の補正データおよび第３の原色信号のガンマ補正のための複数の第３の補正データを記憶する記憶部と、記憶部に記憶される複数の第１の補正データのいずれか、複数の第２の補正データのいずれかおよび複数の第３の補正データのいずれかを選択する第１の選択部と、入力された第１、第２および第３の原色信号を第１の選択部により選択された第１、第２および第３の補正データを用いてガンマ補正する補正部と、ホワイトバランスの調整を指示する調整指示部とを備え、第１の選択部は、調整指示部によりホワイトバランスの調整が指示された場合に、表示装置の画面の複数の領域にそれぞれ対応して第１、第２および第３の補正データの異なる複数の組み合わせを選択し、補正部は、複数の領域に異なるホワイトバランスを有する映像をそれぞれ表示するために、入力された第１、第２および第３の原色信号を第１の選択部により選択された異なる複数の組み合わせの第１、第２および第３の補正データを用いて補正する。【０００９】  そのホワイトバランス調整装置においては、記憶部に複数の第１の補正データ複数の第２の補正データおよび複数の第３の補正データが記憶される。使用者が調整指示部によりホワイトバランスの調整を指示すると、表示装置の画面の複数の領域にそれぞれ対応して第１、第２および第３の補正データの異なる複数の組み合わせが第１の選択部により選択され、入力された第１、第２および第３の原色信号が選択された異なる複数の組み合わせの第１、第２および第３の補正データを用いて補正される。その結果、表示装置の画面の複数の領域に異なるホワイトバランスを有する映像がそれぞれ表示される。【００１０】  それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、表示装置の画面に表示される映像のホワイトバランスを容易かつ適切に調整することができる。【００１１】  ホワイトバランス調整装置は、表示装置の画面の複数の領域にそれぞれ表示された複数の映像のうちいずれかを選択する第２の選択部と、第２の選択部により選択された映像に対応する第１、第２および第３の補正データの１つの組み合わせが選択されるように第１の選択部を制御する制御部とをさらに備え、補正部は、表示装置の全画面に映像を表示するための第１、第２および第３の原色信号を第１の選択部により選択された１つの組み合わせの第１、第２および第３の補正データを用いて補正してもよい。【００１２】  使用者は、第２の選択部により表示装置の画面の複数の領域にそれぞれ表示された複数の映像のうちいずれかを選択することができ��。この場合、選択された映像に対応する第１、第２および第３の補正データの１つの組み合わせが選択されるように制御部により第１の選択部が制御される。それにより、選択された１つの組み合わせの第１、第２および第３の補正データを用いて第１、第２および第３の原色信号が補正され、補正された第１、第２および第３の原色信号に基づいて表示装置の全画面に映像が表示される。その結果、適切なホワイトバランスを有する映像を表示装置の全画面に表示することができる。【００１３】  ホワイトバランス調整装置は、ホワイトバランスの調整後にホワイトバランスの再調整を指示する再調整指示部をさらに備え、制御部は、再調整指示部により再調整が指示された場合に、現在のホワイトバランスの調整前に表示装置の全画面に表示された映像のホワイトバランスで表示装置の全画面に映像が表示されるように第１の選択部を制御してもよい。【００１４】  使用者がホワイトバランスの調整後に再調整指示部を用いてホワイトバランスの再調整を指示すると、現在のホワイトバランスの調整前に表示装置の全画面に表示された映像のホワイトバランスで表示装置の全画面に映像が表示される。それにより、使用者は、映像のホワイトバランスを調整前のホワイトバランスに容易に戻すことができる。【００１５】  ホワイトバランス調整装置は、ホワイトバランスの調整前に表示装置の全画面に表示された映像に対応する第１、第２および第３の補正データの組み合わせを保持する保持部をさらに備え、制御部は、再調整指示部により再調整が指示された場合に、保持部に保持された第１、第２および第３の補正データの組み合わせが選択されるように第１の選択部を制御してもよい。【００１６】  この場合、ホワイトバランスの調整前に表示装置の全画面に表示された映像に対応する第１、第２および第３の補正データの組み合わせが保持部により保持されている。使用者が再調整指示部を用いて再調整を指示すると、保持された第１、第２および第３の補正データの組み合わせが選択される。それにより、現在のホワイトバランスの調整前に表示装置の全画面に表示された映像のホワイトバランスで表示装置の全画面に映像が確実に表示される。【００１７】  第２の選択部は、表示装置の画面に設けられるタッチパネルを含んでもよい。この場合、使用者は、タッチパネルに触れるだけで微妙な違いを有する複数のホワイトバランスから自分の好みに合った適切なホワイトバランスを有する映像を容易かつ正確に選択することができる。【００１８】  本発明の他の局面に従う映像表示装置は、画面を有する表示装置と、表示装置の画面に映像を表示するために異なる色にそれぞれ対応する第１、第２および第３の原色信号を発生する信号処理部と、表示装置の画面に表示される映像のホワイトバランスを調整するホワイトバランス調整装置とを備え、ホワイトバランス調整装置は、第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、記憶部に記憶される複数の第１の補正データのいずれか、複数の第２の補正データのいずれかおよび複数の第��の補正データのいずれかを選択する第１の選択部と、信号処理部により発生された第１、第２および第３の原色信号を第１の選択部により選択された第１、第２および第３の補正データを用いてガンマ補正する補正部と、ホワイトバランスの調整を指示する調整指示部とを含み、第１の選択部は、調整指示部によりホワイトバランスの調整が指示された場合に、表示装置の画面の複数の領域にそれぞれ対応して第１、第２および第３の補正データの異なる複数の組み合わせを選択し、補正部は、信号処理部により発生された第１、第２および第３の原色信号を第１の選択部により選択された異なる複数の組み合わせの第１、第２および第３の補正データを用いて補正し、表示装置は、補正部により補正された第１、第２および第３の補正データに基づいて複数の領域に異なるホワイトバランスを有する映像をそれぞれ表示する。【００１９】  その映像表示装置においては、信号処理部により異なる色にそれぞれ対応する第１、第２および第３の原色信号が発生され、第１、第２および第３の原色信号に基づいて表示装置の画面に映像が表示される。また、表示装置の画面に表示される映像のホワイトバランスがホワイトバランス調整装置により調整される。【００２０】  そのホワイトバランス調整装置においては、記憶部に複数の第１の補正データ、複数の第２の補正データおよび複数の第３の補正データが記憶される。使用者が調整指示部によりホワイトバランスの調整を指示すると、表示装置の画面の複数の領域にそれぞれ対応して第１、第２および第３の補正データの異なる複数の組み合わせが第１の選択部により選択され、入力された第１、第２および第３の原色信号が選択された異なる複数の組み合わせの第１、第２および第３の補正データを用いて補正される。その結果、表示装置の画面の複数の領域に異なるホワイトバランスを有する映像がそれぞれ表示される。【００２１】  それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、表示装置の画面に表示される映像のホワイトバランスを容易かつ適切に調整することができる。【００２２】  ホワイトバランス調整装置は、表示装置の画面の複数の領域にそれぞれ表示された複数の映像のうちいずれかを選択する第２の選択部と、第２の選択部により選択された映像に対応する第１、第２および第３の補正データの１つの組み合わせが選択されるように第１の選択部を制御する制御部とをさらに備え、補正部は、信号処理部により発生された第１、第２および第３の原色信号を第１の選択部により選択された１つの組み合わせの第１、第２および第３の補正データを用いて補正し、表示装置は、補正部により補正された第１、第２および第３の原色信号に基づいて映像を全画面に表示してもよい。【００２３】  使用者は、第２の選択部により表示装置の画面の複数の領域にそれぞれ表示された複数の映像のうちいずれかを選択することができる。この場合、選択された映像に対応する第１、第２および第３の補正データの���つの組み合わせが選択されるように制御部により第１の選択部が制御される。それにより、選択された１つの組み合わせの第１、第２および第３の補正データを用いて第１、第２および第３の原色信号が補正され、補正された第１、第２および第３の原色信号に基づいて表示装置の全画面に映像が表示される。その結果、適切なホワイトバランスを有する映像を表示装置の全画面に表示することができる。【００２４】  ホワイトバランス調整装置は、ホワイトバランスの調整後にホワイトバランスの再調整を指示する再調整指示部をさらに含み、制御部は、再調整指示部によりホワイトバランスの再調整が指示された場合に、現在のホワイトバランスの調整前に表示装置の全画面に表示された映像のホワイトバランスで表示装置の全画面に映像が表示されるように第１の選択部を制御してもよい。【００２５】  使用者がホワイトバランスの調整後に再調整指示部を用いてホワイトバランスの再調整を指示すると、現在のホワイトバランスの調整前に表示装置の全画面に表示された映像のホワイトバランスで表示装置の全画面に映像が表示される。それにより、使用者は、映像のホワイトバランスを調整前のホワイトバランスに容易に戻すことができる。【００２６】  ホワイトバランス調整装置は、ホワイトバランスの調整前に表示装置の全画面に表示された映像に対応する第１、第２および第３の補正データの組み合わせを保持する保持部をさらに含み、制御部は、再調整指示部により再調整が指示された場合に、保持部に保持された第１、第２および第３の補正データの組み合わせが選択されるように第１の選択部を制御してもよい。【００２７】  この場合、ホワイトバランスの調整前に表示装置の全画面に表示された映像に対応する第１、第２および第３の補正データの組み合わせが保持部により保持されている。使用者が再調整指示部を用いて再調整を指示すると、保持された第１、第２および第３の補正データの組み合わせが選択される。それにより、現在のホワイトバランスの調整前に表示装置の全画面に表示された映像のホワイトバランスで表示装置の全画面に映像が確実に表示される。【００２８】  第２の選択部は、表示装置の画面に設けられるタッチパネルを含んでもよい。この場合、使用者は、タッチパネルに触れるだけで微妙な違いを有する複数のホワイトバランスから自分の好みに合った適切なホワイトバランスを有する映像を容易かつ正確に選択することができる。【００２９】  信号処理部は、調整指示部によりホワイトバランスの調整が指示された場合に、表示装置の画面の複数の領域に同じ形態の映像が表示されるように第１、第２および第３の原色信号を発生してもよい。【００３０】  この場合、使用者が調整指示部によりホワイトバランスの調整を指示すると、表示装置の画面の複数の領域に同じ形態を有しかつ異なるホワイトバランスを有する映像が表示される。それにより、微妙な違いを有する複数のホワイトバランスから適切なホワイトバランスを有する映像をより正確に選択することができる。【００３１】  映像表示装置は、垂直同期信号および水平同期信号を発生する同期信号発生部をさらに備え、第１の選択部は、同期信号発生部により発生される垂直同期信号および水平同期信号に基づいて表示装置の画面の複数の領域を順に選択する選択信号を発生する選択信号発生部と、選択信号発生部により発生された選択信号に基づいて表示装置の画面の複数の領域にそれぞれ対応する第１、第２および第３の補正データの異なる複数の組み合わせを順に選択するデータ選択部とを含んでもよい。【００３２】  この場合、垂直同期信号および水平同期信号に基づいて表示装置の画面の複数の領域が順に選択する選択信号が発生されるとともに、選択信号に基づいて表示装置の画面の複数の領域にそれぞれ対応する第１、第２および第３の補正データの異なる複数の組み合わせが順に選択される。それにより、表示装置の画面の複数の領域に異なるホワイトバランスを有する映像がそれぞれ表示される。
【発明の効果】
【００３３】  本発明によれば、表示装置の画面の複数の領域に異なるホワイトバランスを有する映像がそれぞれ表示される。それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、表示装置の画面に表示される映像のホワイトバランスを容易かつ適切に調整することができる。
【図面の簡単な説明】
【００３４】［図１］図１は本発明の一実施の形態に係るホワイトバランス調整装置を備えた映像表示装置の構成を示すブロック図
［図２］図２は図１における補正量選択装置の一部の詳細な構成を示すブロック図
［図３］図３は表示画面分割装置の第１の逓倍装置および第１のパルスカウント装置の動作を示すタイミングチャート
［図４］図４は表示画面分割装置の第２の逓倍装置および第２のパルスカウント装置の動作を示すタイミングチャート
［図５］図５はホワイトバランスの調整時に補正量固定装置から出力される第１および第２の選択信号の値とガンマ補正データとの対応関係を示す対応表を示す図
［図６］図６はホワイトバランスの調整時のディスプレイの画面を示す図
［図７］図７は図１の映像表示装置の動作の流れを示すフローチャート
【発明を実施するための最良の形態】
【００３５】  （１）映像表示装置の構成
図１は本発明の一実施の形態に係るホワイトバランス調整装置を備えた映像表示装置の構成を示すブロック図である。図２は図１における補正量選択装置の一部の詳細な構成を示すブロック図である。【００３６】  図１の映像表示装置は、ホワイトバランス調整装置１００およびディスプレイ２００、映像信号処理回路３００および同期信号発生回路４００を備える。【００３７】  映像信号処理回路３００は、映像信号を処理することにより赤色映像信号Ｒｉｎ、緑色映像信号Ｇｉｎおよび青色映像信号Ｂｉｎを出力する。ここで、映像信号処理回路３００は、通常の視聴時に、ディスプレイ２００の全画面に映像が表示されるように赤色映像信号Ｒｉｎ、緑色映像信号Ｇｉｎおよび青色映像信号Ｂｉｎを処理し、ホワイトバランスの調整時に、ディスプレイ２００の画面の複数の領域に同じ形態の映像がそれぞれ表示されるように赤色映像信号Ｒｉｎ、緑色映像信号Ｇｉｎおよび青色映像信号Ｂｉｎを処理する。【００３８】  同期信号発生回路４００は、映像信号処理回路３００から与えられる映像信号に基づいて垂直同期信号ＶＳおよび水平同期信号ＨＳを発生する。【００３９】  ホワイトバランス調整装置１００は、ガンマデータ記憶装置１、表示画面分割装置１０、補正量選択装置２０、ガンマ補正装置３０、領域選択装置５０および補正量固定装置６０を含む。【００４０】  ガンマデータ記憶装置１は、赤色映像信号Ｒｉｎに対応するガンマメモリ装置２、緑色映像信号Ｇｉｎに対応するガンマメモリ装置３および青色映像信号Ｂｉｎに対応するガンマメモリ装置４を含む。【００４１】  ガンマメモリ装置２は、赤色映像信号Ｒｉｎ用の９種類のガンマ補正カーブに対応する９組のガンマ補正データＤＲ−Ａ〜ＤＲ−Ｉを記憶する。ガンマメモリ装置３は、緑色映像信号Ｇｉｎ用の９種類のガンマ補正カーブに対応する９組のガンマ補正データＤＧ−Ａ〜ＤＧ−Ｉを記憶する。ガンマメモリ装置４は、青色映像信号Ｂｉｎ用の９種類のガンマ補正カーブに対応する９組のガンマ補正データＤＢ−Ａ〜ＤＢ−Ｉを記憶する。【００４２】  ガンマ補正データＤＲ−Ａ〜ＤＲ−Ｉの各々は、赤色映像信号Ｒｉｎにより表される複数の輝度レベルに対応する複数の係数を含む。同様に、ガンマ補正データＤＧ−Ａ〜ＤＧ−Ｉの各々は、緑色映像信号Ｇｉｎにより表される複数の輝度レベルに対応する複数の係数を含む。また、ガンマ補正データＤＢ−Ａ〜ＤＢ−Ｉの各々は、青色映像信号Ｂｉｎにより表される複数の輝度レベルに対応する複数の係数を含む。【００４３】  補正量選択装置２０は、赤色映像信号Ｒｉｎ用のガンマ選択装置２１、緑色映像信号Ｇｉｎ用のガンマ選択装置２２および青色映像信号Ｂｉｎ用のガンマ選択装置２３を含む。【００４４】  図２に示すように、ガンマ選択装置２１は、第１段の３つのセレクタＳ１，Ｓ２，Ｓ３および第２段の１つのセレクタＳ４を含む。【００４５】  セレクタＳ１は、ガンマメモリ装置２から読み出されるガンマ補正データＤＲ−Ａ〜ＤＲ−Ｃを受ける３つの入力端子および１つの出力端子を有する。セレクタＳ２は、ガンマメモリ装置２から読み出されるガンマ補正データＤＲ−Ｄ〜ＤＲ−Ｆを受ける３つの入力端子および１つの出力端子を有する。セレクタ���３は、ガンマメモリ装置２から読み出されるガンマ補正データＤＲ−Ｇ〜ＤＲ−Ｉを受ける３つの入力端子および１つの出力端子を有する。【００４６】  セレクタＳ４は、セレクタＳ１〜Ｓ３の出力端子にそれぞれ接続される３つの入力端子および１つの出力端子を有する。【００４７】  図１のガンマ選択装置２２は、ガンマ選択装置２１と同様に、第１段の３つのセレクタおよび第２段の１つのセレクタを含む。ガンマ選択装置２２の第１段の３つのセレクタは、ガンマメモリ装置３から読み出されるガンマ補正データＤＧ〜Ａ〜ＤＧ−Ｉを受ける。ガンマ選択装置２２の構成はガンマ選択装置２１の構成と同様である。【００４８】  図１のガンマ選択装置２３は、ガンマ選択装置２１と同様に、第１段の３つのセレクタおよび第２段の１つのセレクタを含む。ガンマ選択装置２３の第１段の３つのセレクタは、ガンマメモリ装置４から読み出されるガンマ補正データＤＢ−Ａ〜ＤＢ−Ｉを受ける。ガンマ選択装置２３の構成はガンマ選択装置２１の構成と同様である。【００４９】  表示画面分割装置１０は、第１の逓倍装置１１、第２の逓倍装置１２、第１のパルスカウント装置１３および第２のパルスカウント装置１４を含む。【００５０】  第１の逓倍装置１１は、同期信号発生回路４００により発生された垂直同期信号ＶＳを３逓倍し、第１のパルス信号ＰＬＶを出力する。第２の逓倍装置１２は、同期信号発生回路４００により発生された水平同期信号ＨＳを３逓倍し、第２のパルス信号ＰＬＨを出力する。【００５１】  第１のパルスカウント装置１３は、第１の逓倍装置１１から出力される第１のパルス信号ＰＬＶのパルスをカウントし、２ビットの第１のカウント信号ＣＴ１を出力する。第２のパルスカウント装置１４は、第２の逓倍装置１２から出力される第２のパルス信号ＰＬＨのパルスをカウントし、２ビットの第２のカウント信号ＣＴ２を出力する。【００５２】  領域選択装置５０は、ディスプレイ２００の画面に設けられたタッチパネル、リモートコントローラ、ＣＰＵ（中央演算処理装置）、およびメモリ等の記憶装置からなる。この領域選択装置５０は、２ビットの垂直領域選択信号ＳＬＶ、２ビットの水平領域選択信号ＳＬＨおよび１ビットの制御信号ＣＮＴを出力する。使用者によるリモートコントローラの操作により、制御信号ＣＮＴの値が“０”または“１”に変化する。ホワイトバランスの調整時には、制御信号ＣＮＴの値は“０”に設定され、通常の視聴時には、制御信号ＣＮＴの値は“１”に設定される。【００５３】  補正量固定装置６０は、２つのセレクタＳ１１，Ｓ１２を含む。セレクタＳ１１は、表示画面分割装置１０の第１のパルスカウント装置１３から出力される第１のカウント信号ＣＴ１および領域選択装置５０から出力される垂直領域選択信号ＳＬＶをそれぞれ受ける２つの入力端子および１つの出力端子を有する。セレクタＳ１２は、表示画面分割装置１０の第２のパルスカウント装置１４から出力される第２のカウント信号ＣＴ２および領域選択装置５０から出力される水平領域選択信号ＳＬＨをそれぞれ受ける２つの入力端子および１つの出力端子を有する。【００５４】  セレクタＳ１１は、制御信号ＣＮＴに応答して第１のカウント信号ＣＴ１およ���垂直領域選択信号ＳＬＶのうち一方を第１の選択信号ＳＬ１として出力する。セレクタＳ１２は、制御信号ＣＮＴに応答して第２のカウント信号ＣＴ２および水平領域選択信号ＳＬＨのうち一方を第２の選択信号ＳＬ２として出力する。【００５５】  図２のガンマ選択装置２１のセレクタＳ１〜Ｓ３の各々は、セレクタＳ１１から出力される第１の選択信号ＳＬ１に応答して、３つの入力端子のガンマ補正データのうちいずれかを選択的に出力する。セレクタＳ４は、セレクタＳ１２から出力される第２の選択信号ＳＬ２に応答して、３つの入力端子のガンマ補正データのうちいずれかを選択的に出力する。このようにして、ガンマ選択装置２１は、ガンマ補正データＤＲ−Ａ〜ＤＲ−Ｉのうちいずれかをガンマ補正データＤＲとして出力する。【００５６】  同様に、図１のガンマ選択装置２２は、セレクタＳ１１から出力される第１の選択信号ＳＬ１およびセレクタＳ１２から出力される第２の選択信号ＳＬ２に応答して、ガンマ補正データＤＧ−Ａ〜ＤＧ−Ｉのうちいずれかをガンマ補正データＤＧとして出力する。【００５７】  また、図１のガンマ選択装置２３は、セレクタＳ１１から出力される第１の選択信号ＳＬ１およびセレクタＳ１２から出力される第２の選択信号ＳＬ２に応答して、ガンマ補正データＤＢ−Ａ〜ＤＢ−Ｉのうちいずれかをガンマ補正データＤＢとして出力する。【００５８】  ガンマ補正装置３０は、赤色映像信号Ｒｉｎ用のガンマ補正装置３１、緑色映像信号Ｇｉｎ用のガンマ補正装置３２および青色映像信号Ｂｉｎ用のガンマ補正装置３３を含む。【００５９】  ガンマ補正装置３１には映像信号処理回路３００から出力される赤色映像信号Ｒｉｎが入力される。ガンマ補正装置３２には映像信号処理回路３００から出力される緑色映像信号Ｇｉｎが入力される。ガンマ補正装置３３には映像信号処理回路３００から出力される青色映像信号Ｂｉｎが入力される。【００６０】  ガンマ補正装置３１は、入力された赤色映像信号Ｒｉｎに対してガンマ選択装置２１から出力されるガンマ補正データＤＲを用いてガンマ補正を行い、補正された赤色映像信号Ｒｏｕｔを出力する。この場合、ガンマ補正装置３１は、ガンマ補正データＤＲから赤色映像信号Ｒｉｎの輝度レベルに対応する係数を抽出し、抽出された係数を用いて赤色映像信号Ｒｉｎの輝度レベルを補正する。【００６１】  ガンマ補正装置３２は、入力された緑色映像信号Ｇｉｎに対してガンマ選択装置２２から出力されるガンマ補正データＤＧを用いてガンマ補正を行い、補正された緑色映像信号Ｇｏｕｔを出力する。この場合、ガンマ補正装置３２は、ガンマ補正データＤＧから緑色映像信号Ｇｉｎの輝度レベルに対応する係数を抽出し、抽出された係数を用いて緑色映像信号Ｇｉｎの輝度レベルを補正する。【００６２】  ガンマ補正装置３３は、入力された青色映像信号Ｂｉｎに対してガンマ選択装置２３から出力されるガンマ補正データＤＢを用いてガンマ補正を行い、補正された青色映像信号Ｂｏｕｔを出力する。この場合、ガンマ補正装置３３は、ガンマ補正データＢＧから青色映像信号Ｂｉｎの輝度レベルに対応する係数を抽出し、抽出された係数を用いて青色映像信号Ｂｉｎの輝度レベルを補正する。【００６３】  ディスプレイ２００は、ＣＲＴ（陰極線管）等からなり、ガンマ補正装置３０から出力される赤色映像信号Ｒｏｕｔ、緑色映像信号Ｇｏｕｔおよび青色映像信号Ｂｏｕｔに基づいて画面上に映像を表示する。【００６４】  （２）ホワイトバランス調整装置の動作
図３は表示画面分割装置１０の第１の逓倍装置１１および第１のパルスカウント装置１３の動作を示すタイミングチャート、図４は表示画面分割装置１０の第２の逓倍装置１２および第２のパルスカウント装置１４の動作を示すタイミングチャートである。【００６５】  図３には、垂直同期信号ＶＳ、第１のパルス信号ＰＬＶおよび第１のカウント信号ＣＴ１が示される。また、図４には、水平同期信号ＨＳ、第２のパルス信号ＰＬＨおよび第２のカウント信号ＣＴ２が示される。【００６６】  なお、図３の第１のカウント信号ＣＴ１および図４の第２のカウント信号ＣＴ２については、それぞれ２ビットで表される２進数の値を１０進数の値で示している。また、図４では、各信号の時間軸を図２の各信号の時間軸に比べて拡大して示している。【００６７】  図３に示すように、第１の逓倍装置１１から出力される第１のパルス信号ＰＬＶは、垂直同期信号ＶＳの３倍の周波数を有する。それにより、第１のパルスカウント装置１３から出力される第１のカウント信号ＣＴ１の値は、“０”、“１”および“２”の順に変化する。【００６８】  図４に示すように、第２の逓倍装置１２から出力される第２のパルス信号ＰＬＨは、水平同期信号ＨＳの３倍の周波数を有する。それにより、第２のパルスカウント装置１４から出力される第２のカウント信号ＣＴ２の値は、“０”、“１”および“２”の順に変化する。【００６９】  図５はホワイトバランスの調整時に補正量固定装置６０から出力される第１および第２の選択信号ＳＬ１，ＳＬ２の値とガンマ補正データＤＲ−Ａ〜ＤＲ−Ｉ，ＤＧ−Ａ〜ＤＧ−Ｉ，ＤＢ−Ａ〜ＤＢ−Ｉとの対応関係を示す対応表を示す図である。【００７０】  領域選択装置５０は、ホワイトバランスの調整時には、制御信号ＣＮＴの値を“０”に設定する。それにより、セレクタＳ１１は、第１のパルスカウント装置１３から出力される第１のカウント信号ＣＴ１を第１の選択信号ＳＬ１としてガンマ選択装置２１，２２，２３に与える。また、セレクタＳ１２は、第２のパルスカウント装置１４から出力される第２のカウント信号ＣＴ２を第２の選択信号ＳＬ２としてガンマ選択装置２１，２２，２３に与える。【００７１】  この場合、ガンマ選択装置２１は、ガンマ補正データＤＲ−Ａ，ＤＲ−Ｄ，ＤＲ−Ｇ，ＤＲ−Ｂ，ＤＲ−Ｅ，ＤＲ−Ｈ，ＤＲ−Ｃ，ＤＲ−Ｆ，ＤＲ−Ｉをこの順に出力する。【００７２】  同様に、ガンマ選択装置２２は、ガンマ補正データＤＧ−Ａ，ＤＧ−Ｄ，ＤＧ−Ｇ，ＤＧ−Ｂ，ＤＧ−Ｅ，ＤＧ−Ｈ，ＤＧ−Ｃ，ＤＧ−Ｆ，ＤＧ−Ｉをこの順に出力する。【００７３】  また、ガンマ選択装置２３は、ガンマ補正データＤＢ−Ａ，ＤＢ−Ｄ，ＤＢ−Ｇ，ＤＢ−Ｂ，ＤＢ−Ｅ，ＤＢ−Ｈ，ＤＢ−Ｃ，ＤＢ−Ｆ，ＤＢ−Ｉをこの順に出力する。【００７４】  図６はホワイトバランスの調整時のディスプレイ２００の画面を示す図である。【００７５】  図６に示すように、ディスプレイ２００の画面２０１が垂直方向に３分割され、水平方向に３分割されている。それにより、画面２０１が９個の領域Ａ〜Ｉに分割されている。領域Ａ〜Ｉには、ガンマ補正データＤＲ−Ａ〜ＤＲ−Ｉ，ＤＧ−Ａ〜ＤＧ−Ｉ，ＤＢ−Ａ〜ＤＢ−Ｉを用いてガンマ補正された９種類の��像がそれぞれ表示される。それにより、これらの映像は異なるホワイトバランスを有する。【００７６】  使用者は、ディスプレイ２００の画面２０１に設けられたタッチパネルを押すことにより画面２０１の９個の領域Ａ〜Ｉのうちいずれか１つを選択する。それにより、図１の領域選択装置５０は、制御信号ＣＮＴの値を“１”に設定する。また、領域選択装置５０は、使用者により選択された領域に応じて垂直領域選択信号ＳＬＶおよび水平領域選択信号ＳＬＨの値を設定する。【００７７】  例えば、使用者が領域Ｆを選択した場合には、垂直領域選択信号ＳＬＶの値が“２”に設定され、水平領域選択信号ＳＬＨの値が“１”に設定される。設定された垂直領域選択信号ＳＬＶおよび水平領域選択信号ＳＬＨの値は領域選択装置５０の記憶装置に記憶される。【００７８】  なお、ホワイトバランスの調整前の垂直領域選択信号ＳＬＶおよび水平領域選択信号ＳＬＨの値も領域選択装置５０の記憶装置に記憶される。【００７９】  補正量固定装置６０のセレクタＳ１１は、領域選択装置５０から出力される垂直領域選択信号ＳＬＶを第１の選択信号ＳＬ１としてガンマ選択装置２１，２２，２３に与える。また、補正量固定装置６０のセレクタＳ１２は、領域選択装置５０から出力される水平領域選択信号ＳＬＨを第２の選択信号ＳＬ２としてガンマ選択装置２１，２２，２３に与える。【００８０】  この場合、第１の選択信号ＳＬ１および第２の選択信号ＳＬ２に基づいて、ガンマ選択装置２１がガンマ補正データＤＲ−Ａ〜ＤＲ−Ｉのうちいずれかを選択的に出力し、ガンマ選択装置２２がガンマ補正データＤＧ−Ａ〜ＤＧ−Ｉのうちいずれかを選択的に出力し、ガンマ選択装置２３がガンマ補正データＤＢ−Ａ〜ＤＢ−Ｉのうちいずれかを選択的に出力する。【００８１】  その結果、９個の領域Ａ〜Ｉのうち使用者により選択された領域の映像が画面２０１の全体に表示される。【００８２】  このようにして、ホワイトバランスの調整時に、ディスプレイ２００の画面２０１の９個の領域Ａ〜Ｉに異なるガンマ補正データを用いてガンマ補正された複数の映像が同時に表示される。それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、ディスプレイ２００の画面２０１に適切にホワイトバランスが調整された映像を表示することができる。【００８３】  （３）映像表示装置の動作の流れ
図７は図１の映像表示装置の動作の流れを示すフローチャートである。【００８４】  通常の視聴時には、領域選択装置５０は制御信号ＣＮＴの値を“１”に設定する。また、領域選択装置５０は、垂直領域選択信号ＳＬＶおよび水平領域選択信号ＳＬＨの値を記憶装置に記憶された値に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の全体に映像が表示される（ステップＳ１）。【００８５】  ホワイトバランスの調整時には、使用者はリモートコントローラを用いてホワイトバランスの調整を指示する。領域選択装置５０のＣＰＵは、使用者によりホワイトバランスの調整が指示されたか否かを判定する（ステップＳ２）。【００８６】  ホワイトバランスの調整が指示された場合には、領域選択装置５０は制御信号ＣＮＴの値を“０”に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の複数の領域に異なるホワイトバランスを有する映像がそれぞれ表示される。本実施の形態では、ディスプレイ２００の画面２０１の９個の領域Ａ〜Ｉに異なるホワイトバランスを有する映像がそれぞれ表示される（ステップＳ３）。【００８７】  その後、使用者は、ディスプレイ２００の画面２０１の領域Ａ〜Ｉに表示された異なるホワイトバランスを有する複数の映像を見比べ、画面２０１のタッチパネルを押すことにより、領域Ａ〜Ｉのいずれかを選択する。領域選択装置５０のＣＰＵは、使用者により領域Ａ〜Ｉのいずれかが選択されたか否かを判定する（ステップＳ４）。【００８８】  使用者により領域Ａ〜Ｉのいずれかが選択されない場合には、領域選択装置５０は待機する。使用者により領域Ａ〜Ｉのいずれかが選択された場合には、領域選択装置５０は制御信号ＣＮＴの値を“１”に設定する。また、領域選択装置５０は、垂直領域選択信号ＳＬＶおよび水平領域選択信号ＳＬＨの値を使用者により選択された領域に対応する値に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の全体に映像が表示される（ステップＳ５）。この場合、領域選択装置５０は、使用者により選択された領域に対応する垂直領域選択信号ＳＬＶおよび水平領域選択信号ＳＬＨの値を記憶装置に記憶する。【００８９】  使用者は、ホワイトバランスを再調整したい場合には、リモートコントローラを用いてホワイトバランスの再調整を指示する。領域選択装置５０のＣＰＵは、使用者によりホワイトバランスの再調整が指示されたか否かを判定する（ステップＳ６）。【００９０】  ホワイトバランスの再調整が指示された場合には、領域選択装置５０は制御信号ＣＮＴの値を“０”に設定する。また、領域選択装置５０は、記憶装置に記憶された値に基づいて垂直領域選択信号ＳＬＶおよび水平領域選択信号ＳＬＨの値を今回のホワイトバランスの調整前の値に設定する。それにより、ガンマ補正装置３０から出力される赤色映像信号Ｒｏｕｔ、緑���映像信号Ｇｏｕｔおよび青色映像信号Ｂｏｕｔに基づいてディスプレイ２００の画面２０１の全体に今回の調整前のホワイトバランスを有する映像が表示される（ステップＳ７）。【００９１】  その後、ステップＳ２に戻り、ステップＳ２〜Ｓ７の処理が繰り返し行われる。なお、ステップＳ２でホワイトバランスの調整が指示されない場合、およびステップＳ６でホワイトバランスの再調整が指示されない場合には、ステップＳ２に戻る。【００９２】  このように、ホワイトバランスの調整後に再度調整を行う場合には、調整前のホワイトバランスを有する映像がディスプレイ２００の画面２０１の全体に表示される。それにより、使用者は、映像をホワイトバランスを調整前の状態に容易に戻すことができる。【００９３】  （４）請求項の各構成要素と実施の形態の各部との対応
上記実施の形態では、ディスプレイ２００が表示装置に相当し、ガンマデータ記憶装置１が記憶部に相当し、表示画面分割装置１０、補正量選択装置２０および補正量固定装置６０が第１の選択部に相当し、ガンマ補正装置３０が補正部に相当し、領域選択装置５０が調整指示部、再調整指示部、第２の選択部、制御部および保持部に相当する。特に、領域選択装置５０のリモートコントローラが調整指示部および再調整指示部に相当し、領域選択装置５０のタッチパネルが第２の選択部に相当し、領域選択装置５０のＣＰＵが制御部に相当し、領域選択装置５０の記憶装置が保持部に相当する。【００９４】  また、映像信号処理回路３００が信号処理部に相当し、同期信号発生回路４００が同期信号発生部に相当する。さらに、表示画面分割回路１０が選択信号発生部に相当し、補正量選択装置２０がデータ選択部に相当する。【００９５】  また、赤色映像信号Ｒｉｎ、緑色映像信号Ｇｉｎおよび青色映像信号Ｂｉｎが第１の原色信号、第２の原色信号および第３の原色信号に相当する。ガンマ補正データＤＲ−Ａ〜ＤＲ−Ｉ、ガンマ補正データＤＧ−Ａ〜ＤＧ−Ｉおよびガンマ補正データＤＢ−Ａ〜ＤＢ−Ｉが第１の補正データ、第２の補正データおよび第３の補正データに相当する。【００９６】  （５）他の実施の形態
上記実施の形態では、ディスプレイ２００の画面２０１が縦および横に３分割されることにより画面２０１が９個の領域Ａ〜Ｉに分割されているが、これに限定されず、画面２０１が任意の数の領域に分割されてもよい。【００９７】  表示装置としてＣＲＴからなるディスプレイ２００の代わりに液晶表示パネル、プラズマディスプレイパネル等の種々の表示装置を用いることができる。【００９８】  記憶部として３つのガンマメモリ装置２，３，４からなるガンマメモリ装置３の代わりに１つの記憶装置を用いてもよい。また、記憶部としては、不揮発性メモリ、ＲＯＭ（リードオンリメモリ）等の種々の半導体メモリ、光学記録媒体、磁気記録媒体、光磁気記録媒体等の種々の記憶装置を用いることができる。【００９９】  第１の選択部として表示画面分割装置１０、補正量選択装置２０および補正量固定装置６０の代わりに複数のスイッチおよび論理回路からなる種々の選択回路を用いてもよい。【０１００】  補正部としてガンマ補正装置３０の代わりに記憶装置からなるルックアップテーブルまたは演算装置を用いてもよい。【０１０１】  調整指示部および再調整指示部としてリモートコントローラの代わりにディスプレイ２００にスイッチを設けてもよい。【０１０２】  第２の選択部としてタッチパネルの代わりに複数のキーを有するリモートコントローラ等の他の操作装置を用いてもよい。【０１０３】  制御部としてＣＰＵの代わりにＭＰＵ（マイクロプロセッシングユニット）等の種々の処理装置を用いてもよい。保持部として、不揮発性メモリ、ＲＯＭ（リードオンリメモリ）等の種々の半導体メモリ、光学記録媒体、磁気記録媒体、光磁気記録媒体等の種々の記憶装置を用いることができる。【０１０４】  信号処理部として映像信号処理回路３００の代わりに他の原色信号を出力する信号処理回路を用いてもよい。【０１０５】  選択信号発生部として表示画面分割装置１０の代わりに他の論理回路を用いてもよい。データ選択部として補正量選択装置２０の代わりに複数のスイッチおよび論理回路からなる種々の選択回路を用いてもよい。【０１０６】  上記実施の形態では、ホワイトバランスの調整時にディスプレイ２００の画面２０１の複数の領域に同じ形態の映像が表示されるが、ホワイトバランスの調整時にディスプレイ２００の画面２０１の複数の領域に異なる形態の映像が表示されてもよい。
【産業上の利用可能性】
【０１０７】  本発明は、各種映像表示装置に表示される映像のホワイトバランスの調整に利用することができる。
【図１】
2005076637.tif 000002
【図２】
2005076637.tif 000003
【図３】
2005076637.tif 000004
【図４】
2005076637.tif 000005
【図５】
2005076637.tif 000006
【図６】
2005076637.tif 000007
【図７】
2005076637.tif 000008
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
画面の複数の領域にそれぞれ映像を表示可能な表示装置に用いられ、異なる色にそれぞれ対応する第１、第２および第３の原色信号により表示される映像のホワイトバランスを調整するホワイトバランス調整装置であって、
第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、
前記記憶部に記憶される複数の第１の補正データのいずれか、複数の第２の補正データのいずれかおよび複数の第３の補正データのいずれかを選択する第１の選択部と、
入力された第１、第２および第３の原色信号を前記第１の選択部により選択された第１、第２および第３の補正データを用いてガンマ補正する補正部と、
ホワイトバランスの調整を指示する調整指示部とを備え、
前記第１の選択部は、前記調整指示部によりホワイトバランスの調整が指示された場合に、前記表示装置の画面の複数の領域にそれぞれ対応して第１、第２および第３の補正データの異なる複数の組み合わせを選択し、
前記補正部は、前記複数の領域に異なるホワイトバランスを有する映像をそれぞれ表示するために、入力された第１、第２および第３の原色信号を前記第１の選択部により選択された異なる複数の組み合わせの第１、第２および第３の補正データを用いて補正する、ホワイトバランス調整装置。
【請求項２】
前記表示装置の画面の複数の領域にそれぞれ表示された複数の映像のうちいずれかを選択する第２の選択部と、
前記第２の選択部により選択された映像に対応する第１、第２および第３の補正データの１つの組み合わせが選択されるように前記第１の選択部を制御する制御部とをさらに備え、
前記補正部は、前記表示装置の全画面に映像を表示するための第１、第２および第３の原色信号を前記第１の選択部により選択された１つの組み合わせの第１、第２および第３の補正データを用いて補正する、請求項１記載のホワイトバランス調整装置。
【請求項３】
ホワイトバランスの調整後にホワイトバランスの再調整を指示する再調整指示部をさらに備え、
前記制御部は、前記再調整指示部により再調整が指示された場合に、現在のホワイトバランスの調整前に前記表示装置の全画面に表示された映像のホワイトバランスで前記表示装置の全画面に映像が表示されるように前記第１の選択部を制御する、請求項２記載のホワイトバランス調整装置。
【請求項４】
ホワイトバランスの調整前に前記表示装置の全画面に表示された映像に対応する第１、第２および第３の補正データの組み合わせを保持する保持部をさらに備え、
前記制御部は、前記再調整指示部により再調整が指示された場合に、前記保持部に保持された第１、第２および第３の補正データの組み合わせが選択されるように前記第１の選択部を制御する、請求項３記載のホワイトバランス調整装置。
【請求項５】
前記第２の選択部は、前記表示装置の画面に設けられるタッチパネルを含む、請求項２〜４のいずれかに記載のホワイトバランス調整装置。
【請求項６】
画面を有する表示装置と、
前記表示装置の画面に映像を表示するために異なる色にそれぞれ対応する第１、第２および第３の原色信号を発生する信号処理部と、
前記表示装置の画面に表示される映像のホワイトバランスを調整するホワイトバランス調整装置とを備え、
前記ホワイトバランス調整装置は、
第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、
前記記憶部に記憶される複数の第１の補正データのいずれか、複数の第２の補正データのいずれかおよび複数の第３の補正データのいずれかを選択する第１の選択部と、
前記信号処理部により発生された第１、第２および第３の原色信号を前記第１の選択部により選択された第１、第２および第３の補正データを用いてガンマ補正する補正部と、
ホワイトバランスの調整を指示する調整指示部とを含み、
前記第１の選択部は、前記調整指示部によりホワイトバランスの調整が指示された場合に、前記表示装置の画面の複数の領域にそれぞれ対応して第１、第２および第３の補正データの異なる複数の組み合わせを選択し、
前記補正部は、前記信号処理部により発生された第１、第２および第３の原色信号を前記第１の選択部により選択された異なる複数の組み合わせの第１、第２および第３の補正データを用いて補正し、
前記表示装置は、前記補正部により補正された第１、第２および第３の補正データに基づいて前記複数の領域に異なるホワイトバランスを有する映像をそれぞれ表示する、映像表示装置。
【請求項７】
前記ホワイトバランス調整装置は、
前記表示装置の画面の複数の領域にそれぞれ表示された複数の映像のうちいずれかを選択する第２の選択部と、
前記第２の選択部により選択された映像に対応する第１、第２および第３の補正データの１つの組み合わせが選択されるように前記第１の選択部を制御する制御部とをさらに備え、
前記補正部は、前記信号処理部により発生された第１、第２および第３の原色信号を前記第１の選択部により選択された１つの組み合わせの第１、第２および第３の補正データを用いて補正し、
前記表示装置は、前記補正部により補正された第１、第２および第３の原色信号に基づいて映像を全画面に表示する、前記請求項６記載の映像表示装置。
【請求項８】
前記ホワイトバランス調整装置は、
ホワイトバランスの調整後にホワイトバランスの再調整を指示する再調整指示部をさらに含み、
前記制御部は、前記再調整指示部によりホワイトバランスの再調整が指示された場合に、現在のホワイトバランスの調整前に前記表示装置の全画面に表示された映像のホワイトバランスで前記表示装置の全画面に映像が表示されるように前記第１の選択部を制御する、請求項７記載の映像表示装置。
【請求項９】
前記ホワイトバランス調整装置は、
ホワイトバランスの調整前に前記表示装置の全画面に表示された映像に対応する第１、第２および第３の補正データの組み合わせを保持する保持部をさらに含み、
前記制御部は、前記再調整指示部により再調整が指示された場合に、前記保持部に保持された第１、第２および第３の補正データの組み合わせが選択されるように前記第１の選択部を制御する、請求項８記載の映像表示装置。
【請求項１０】
前記第２の選択部は、前記表示装置の画面に設けられるタッチパネルを含む、請求項７〜９のいずれかに記載の映像表示装置。
【請求項１１】
前記信号処理部は、前記調整指示部によりホワイトバランスの調整が指示された場合に、前記表示装置の画面の複数の領域に同じ形態の映像が表示されるように第１、第２および第３の原色信号を発生する、請求項６〜１０のいずれかに記載の映像表示装置。
【請求項１２】
垂直同期信号および水平同期信号を発生する同期信号発生部をさらに備え、
前記第１の選択部は、
前記同期信号発生部により発生される垂直同期信号および水平同期信号に基づいて前記表示装置の画面の複数の領域を順に選択する選択信号を発生する選択信号発生部と、
前記選択信号発生部により発生された選択信号に基づいて前記表示装置の画面の複数の領域にそれぞれ対応する第１、第２および第３の補正データの異なる複数の組み合わせを順に選択するデータ選択部とを含む、請求項６〜１１のいずれかに記載の映像表示装置。
【手続補正２】
【補正対象書類名】明細書
【補正対象項目名】全文
【補正方法】変更
【補正の内容】
【発明の詳細な説明】
【技術分野】
【０００１】
本発明は、映像のホワイトバランスを調整するホワイトバランス調整装置およびそれを備えた映像表示装置に関する。
【背景技術】
【０００２】
一般に、テレビジョン受像機等の映像表示装置には、ホワイトバランス調整装置が設けられている。ＣＲＴ（陰極線管）を用いた映像表示装置では、ガンマ補正のためにＲ信号（赤色信号）、Ｇ信号（緑色信号）およびＢ信号（青色信号）ごとにガンマ補正カーブがそれぞれ個別に設定されている。
【０００３】
使用者が映像表示装置のホワイトバランスを調整する際には、たとえば映像表示装置の前面の操作キーによりＯＳＤ（オンスクリーン表示）による調整メニューを画面上に表示させる。使用者は、操作キーにより調整メニュー内のユーザモードでＲ（赤色）、Ｇ（緑色）およびＢ（青色）ごとにゲインを調整することにより、Ｒ信号、Ｇ信号およびＢ信号ごとに設定されたガンマ補正カーブをゲインに応じた補正量で変化させる。このようにして、Ｒ信号、Ｇ信号およびＢ信号のレベルの相互のバランスを調整することにより画面全体の映像のホワイトバランスを調整する。
【０００４】
使用者がＯＳＤによる調整メニュー内に「９３００Ｋ」、「６５００Ｋ」および「５８００Ｋ」と文字で記載される色温度の中から任意の色温度を選択することによりホワイトバランスを調整する方法も提案されている（特許文献１参照）。
【特許文献１】特開昭５５−２５２０７号公報
【発明の開示】
【発明が解決しようとする課題】
【０００５】
上記のＲ信号、Ｇ信号およびＢ信号のレベルの相互のバランスを調整する方法では、調整に時間および技術を要する。また、調整前後の映像の状態を比較することができないため、使用者が視覚的に映像のホワイトバランスを調整することは困難である。
【０００６】
また、色温度を選択する方法では、色温度の選択から映像の表示までには映像のホワイトバランスの状態を確認することができない。また、色温度を選択することにより映像が表示されたときに１つのホワイトバランスしか視認することができない。そのため、表示された映像のホワイトバランスが適切であるか否かを判断することが困難である。
【０００７】
本発明の目的は、表示装置の画面に表示される映像のホワイトバランスを容易かつ適切に調整することができるホワイトバランス調整装置およびそれを備えた映像表示装置を提供することである。
【課題を解決するための手段】
【０００８】
本発明の一局面に従うホワイトバランス調整装置は、画面の複数の領域にそれぞれ映像を表示可能な表示装置に用いられ、異なる色にそれぞれ対応する第１、第２および第３の原色信号により表示される映像のホワイトバランスを調整するホワイトバランス調整装置であって、第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、記憶部に記憶される複数の第１の補正データのいずれか、複数の第２の補正データのいずれかおよび複数の第３の補正データのいずれかを選択する第１の選択部と、入力された第１、第２および第３の原色信号を第１の選択部により選択された第１、第２および第３の補正データを用いてガンマ補正する補正部と、ホワイトバランスの調整を指示する調整指示部とを備え、第１の選択部は、調整指示部によりホワイトバランスの調整が指示された場合に、表示装置の画面の複数の領域にそれぞれ対応して第１、第２および第３の補正データの異なる複数の組み合わせを選択し、補正部は、複数の領域に異なるホワイトバランスを有する映像をそれぞれ表示するために、入力された第１、第２および第３の原色信号を第１の選択部により選択された異なる複数の組み合わせの第１、第２および第３の補正データを用いて補正する。
【０００９】
そのホワイトバランス調整装置においては、記憶部に複数の第１の補正データ、複数の第２の補正データおよび複数の第３の補正データが記憶される。使用者が調整指示部によりホワイトバランスの調整を指示すると、表示装置の画面の複数の領域にそれぞれ対応して第１、第２および第３の補正データの異なる複数の組み合わせが第１の選択部により選択され、入力された第１、第２および第３の原色信号が選択された異なる複数の組み合わせの第１、第２および第３の補正データを用いて補正される。その結果、表示装置の画面の複数の領域に異なるホワイトバランスを有する映像がそれぞれ表示される。
【００１０】
それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、表示装置の画面に表示される映像のホワイトバランスを容易かつ適切に調整することができる。
【００１１】
ホワイトバランス調整装置は、表示装置の画面の複数の領域にそれぞれ表示された複数の映像のうちいずれかを選択する第２の選択部と、第２の選択部により選択された映像に対応する第１、第２および第３の補正データの１つの組み合わせが選択されるように第１の選択部を制御する制御部とをさらに備え、補正部は、表示装置の全画面に映像を表示するための第１、第２および第３の原色信号を第１の選択部により選択された１つの組み合わせの第１、第２および第３の補正データを用いて補正してもよい。
【００１２】
使用者は、第２の選択部により表示装置の画面の複数の領域にそれぞれ表示された複数の映像のうちいずれかを選択することができる。この場合、選択された映像に対応する第１、第２および第３の補正データの１つの組み合わせが選択されるように制御部により第１の選択部が制御される。それにより、選択された１つの組み合わせの第１、第２および第３の補正データを用いて第１、第２および第３の原色信号が補正され、補正された第１、第２および第３の原色信号に基づいて表示装置の全画面に映像が表示される。その結果、適切なホワイトバランスを有する映像を表示装置の全画面に表示することができる。
【００１３】
ホワイトバランス調整装置は、ホワイトバランスの調整後にホワイトバランスの再調整を指示する再調整指示部をさらに備え、制御部は、再調整指示部により再調整が指示された場合に、現在のホワイトバランスの調整前に表示装置の全画面に表示された映像のホワイトバランスで表示装置の全画面に映像が表示されるように第１の選択部を制御してもよい。
【００１４】
使用者がホワイトバランスの調整後に再調整指示部を用いてホワイトバランスの再調整を指示すると、現在のホワイトバランスの調整前に表示装置の全画面に表示された映像のホワイトバランスで表示装置の全画面に映像が表示される。それにより、使用者は、映像のホワイトバランスを調整前のホワイトバランスに容易に戻すことができる。
【００１５】
ホワイトバランス調整装置は、ホワイトバランスの調整前に表示装置の全画面に表示された映像に対応する第１、第２および第３の補正データの組み合わせを保持する保持部をさらに備え、制御部は、再調整指示部により再調整が指示された場合に、保持部に保持された第１、第２および第３の補正データの組み合わせが選択されるように第１の選択部を制御してもよい。
【００１６】
この場合、ホワイトバランスの調整前に表示装置の全画面に表示された映像に対応する第１、第２および第３の補正データの組み合わせが保持部により保持されている。使用者が再調整指示部を用いて再調整を指示すると、保持された第１、第２および第３の補正データの組み合わせが選択される。それにより、現在のホワイトバランスの調整前に表示装置の全画面に表示された映像のホワイトバランスで表示装置の全画面に映像が確実に表示される。
【００１７】
第２の選択部は、表示装置の画面に設けられるタッチパネルを含んでもよい。この場合、使用者は、タッチパネルに触れるだけで微妙な違いを有する複数のホワイトバランスから自分の好みに合った適切なホワイトバランスを有する映像を容易かつ正確に選択することができる。
【００１８】
本発明の他の局面に従う映像表示装置は、画面を有する表示装置と、表示装置の画面に映像を表示するために異なる色にそれぞれ対応する第１、第２および第３の原色信号を発生する信号処理部と、表示装置の画面に表示される映像のホワイトバランスを調整するホワイトバランス調整装置とを備え、ホワイトバランス調整装置は、第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、記憶部に記憶される複数の第１の補正データのいずれか、複数の第２の補正データのいずれかおよび複数の第３の補正データのいずれかを選択する第１の選択部と、信号処理部により発生された第１、第２および第３の原色信号を第１の選択部により選択された第１、第２および第３の補正データを用いてガンマ補正する補正部と、ホワイトバランスの調整を指示する調整指示部とを含み、第１の選択部は、調整指示部によりホワイトバランスの調整が指示された場合に、表示装置の画面の複数の領域にそれぞれ対応して第１、第２および第３の補正データの異なる複数の組み合わせを選択し、補正部は、信号処理部により発生された第１、第２および第３の原色信号を第１の選択部により選択された異なる複数の組み合わせの第１、第２および第３の補正データを用いて補正し、表示装置は、補正部により補正された第１、第２および第３の補正データに基づいて複数の領域に異なるホワイトバランスを有する映像をそれぞれ表示する。
【００１９】
その映像表示装置においては、信号処理部により異なる色にそれぞれ対応する第１、第２および第３の原色信号が発生され、第１、第２および第３の原色信号に基づいて表示装置の画面に映像が表示される。また、表示装置の画面に表示される映像のホワイトバランスがホワイトバランス調整装置により調整される。
【００２０】
そのホワイトバランス調整装置においては、記憶部に複数の第１の補正データ、複数の第２の補正データおよび複数の第３の補正データが記憶される。使用者が調整指示部によりホワイトバランスの調整を指示すると、表示装置の画面の複数の領域にそれぞれ対応して第１、第２および第３の補正データの異なる複数の組み合わせが第１の選択部により選択され、入力された第１、第２および第３の原色信号が選択された異なる複数の組み合わせの第１、第２および第３の補正データを用いて補正される。その結果、表示装置の画面の複数の領域に異なるホワイトバランスを有する映像がそれぞれ表示される。
【００２１】
それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、表示装置の画面に表示される映像のホワイトバランスを容易かつ適切に調整することができる。
【００２２】
ホワイトバランス調整装置は、表示装置の画面の複数の領域にそれぞれ表示された複数の映像のうちいずれかを選択する第２の選択部と、第２の選択部により選択された映像に対応する第１、第２および第３の補正データの１つの組み合わせが選択されるように第１の選択部を制御する制御部とをさらに備え、補正部は、信号処理部により発生された第１、第２および第３の原色信号を第１の選択部により選択された１つの組み合わせの第１、第２および第３の補正データを用いて補正し、表示装置は、補正部により補正された第１、第２および第３の原色信号に基づいて映像を全画面に表示してもよい。
【００２３】
使用者は、第２の選択部により表示装置の画面の複数の領域にそれぞれ表示された複数の映像のうちいずれかを選択することができる。この場合、選択された映像に対応する第１、第２および第３の補正データの１つの組み合わせが選択されるように制御部により第１の選択部が制御される。それにより、選択された１つの組み合わせの第１、第２および第３の補正データを用いて第１、第２および第３の原色信号が補正され、補正された第１、第２および第３の原色信号に基づいて表示装置の全画面に映像が表示される。その結果、適切なホワイトバランスを有する映像を表示装置の全画面に表示することができる。
【００２４】
ホワイトバランス調整装置は、ホワイトバランスの調整後にホワイトバランスの再調整を指示する再調整指示部をさらに含み、制御部は、再調整指示部によりホワイトバランスの再調整が指示された場合に、現在のホワイトバランスの調整前に表示装置の全画面に表示された映像のホワイトバランスで表示装置の全画面に映像が表示されるように第１の選択部を制御してもよい。
【００２５】
使用者がホワイトバランスの調整後に再調整指示部を用いてホワイトバランスの再調整を指示すると、現在のホワイトバランスの調整前に表示装置の全画面に表示された映像のホワイトバランスで表示装置の全画面に映像が表示される。それにより、使用者は、映像のホワイトバランスを調整前のホワイトバランスに容易に戻すことができる。
【００２６】
ホワイトバランス調整装置は、ホワイトバランスの調整前に表示装置の全画面に表示された映像に対応する第１、第２および第３の補正データの組み合わせを保持する保持部をさらに含み、制御部は、再調整指示部により再調整が指示された場合に、保持部に保持された第１、第２および第３の補正データの組み合わせが選択されるように第１の選択部を制御してもよい。
【００２７】
この場合、ホワイトバランスの調整前に表示装置の全画面に表示された映像に対応する第１、第２および第３の補正データの組み合わせが保持部により保持されている。使用者が再調整指示部を用いて再調整を指示すると、保持された第１、第２および第３の補正データの組み合わせが選択される。それにより、現在のホワイトバランスの調整前に表示装置の全画面に表示された映像のホワイトバランスで表示装置の全画面に映像が確実に表示される。
【００２８】
第２の選択部は、表示装置の画面に設けられるタッチパネルを含んでもよい。この場合、使用者は、タッチパネルに触れるだけで微妙な違いを有する複数のホワイトバランスから自分の好みに合った適切なホワイトバランスを有する映像を容易かつ正確に選択することができる。
【００２９】
信号処理部は、調整指示部によりホワイトバランスの調整が指示された場合に、表示装置の画面の複数の領域に同じ形態の映像が表示されるように第１、第２および第３の原色信号を発生してもよい。
【００３０】
この場合、使用者が調整指示部によりホワイトバランスの調整を指示すると、表示装置の画面の複数の領域に同じ形態を有しかつ異なるホワイトバランスを有する映像が表示される。それにより、微妙な違いを有する複数のホワイトバランスから適切なホワイトバランスを有する映像をより正確に選択することができる。
【００３１】
映像表示装置は、垂直同期信号および水平同期信号を発生する同期信号発生部をさらに備え、第１の選択部は、同期信号発生部により発生される垂直同期信号および水平同期信号に基づいて表示装置の画面の複数の領域を順に選択する選択信号を発生する選択信号発生部と、選択信号発生部により発生された選択信号に基づいて表示装置の画面の複数の領域にそれぞれ対応する第１、第２および第３の補正データの異なる複数の組み合わせを順に選択するデータ選択部とを含んでもよい。
【００３２】
この場合、垂直同期信号および水平同期信号に基づいて表示装置の画面の複数の領域が順に選択する選択信号が発生されるとともに、選択信号に基づいて表示装置の画面の複数の領域にそれぞれ対応する第１、第２および第３の補正データの異なる複数の組み合わせが順に選択される。それにより、表示装置の画面の複数の領域に異なるホワイトバランスを有する映像がそれぞれ表示される。
【発明の効果】
【００３３】
本発明によれば、表示装置の画面の複数の領域に異なるホワイトバランスを有する映像がそれぞれ表示される。それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、表示装置の画面に表示される映像のホワイトバランスを容易かつ適切に調整することができる。
【発明を実施するための最良の形態】
【００３４】
（１）映像表示装置の構成
図１は本発明の一実施の形態に係るホワイトバランス調整装置を備えた映像表示装置の構成を示すブロック図である。図２は図１における補正量選択装置の一部の詳細な構成を示すブロック図である。
【００３５】
図１の映像表示装置は、ホワイトバランス調整装置１００およびディスプレイ２００、映像信号処理回路３００および同期信号発生回路４００を備える。
【００３６】
映像信号処理回路３００は、映像信号を処理することにより赤色映像信号Ｒｉｎ、緑色映像信号Ｇｉｎおよび青色映像信号Ｂｉｎを出力する。ここで、映像信号処理回路３００は、通常の視聴時に、ディスプレイ２００の全画面に映像が表示されるように赤色映像信号Ｒｉｎ、緑色映像信号Ｇｉｎおよび青色映像信号Ｂｉｎを処理し、ホワイトバランスの調整時に、ディスプレイ２００の画面の複数の領域に同じ形態の映像がそれぞれ表示されるように赤色映像信号Ｒｉｎ、緑色映像信号Ｇｉｎおよび青色映像信号Ｂｉｎを処理する。
【００３７】
同期信号発生回路４００は、映像信号処理回路３００から与えられる映像信号に基づいて垂直同期信号ＶＳおよび水平同期信号ＨＳを発生する。
【００３８】
ホワイトバランス調整装置１００は、ガンマデータ記憶装置１、表示画面分割装置１０、補正量選択装置２０、ガンマ補正装置３０、領域選択装置５０および補正量固定装置６０を含む。
【００３９】
ガンマデータ記憶装置１は、赤色映像信号Ｒｉｎに対応するガンマメモリ装置２、緑色映像信号Ｇｉｎに対応するガンマメモリ装置３および青色映像信号Ｂｉｎに対応するガンマメモリ装置４を含む。
【００４０】
ガンマメモリ装置２は、赤色映像信号Ｒｉｎ用の９種類のガンマ補正カーブに対応する９組のガンマ補正データＤＲ−Ａ〜ＤＲ−Ｉを記憶する。ガンマメモリ装置３は、緑色映像信号Ｇｉｎ用の９種類のガンマ補正カーブに対応する９組のガンマ補正データＤＧ−Ａ〜ＤＧ−Ｉを記憶する。ガンマメモリ装置４は、青色映像信号Ｂｉｎ用の９種類のガンマ補正カーブに対応する９組のガンマ補正データＤＢ−Ａ〜ＤＢ−Ｉを記憶する。
【００４１】
ガンマ補正データＤＲ−Ａ〜ＤＲ−Ｉの各々は、赤色映像信号Ｒｉｎにより表される複数の輝度レベルに対応する複数の係数を含む。同様に、ガンマ補正データＤＧ−Ａ〜ＤＧ−Ｉの各々は、緑色映像信号Ｇｉｎにより表される複数の輝度レベルに対応する複数の係数を含む。また、ガンマ補正データＤＢ−Ａ〜ＤＢ−Ｉの各々は、青色映像信号Ｂｉｎにより表される複数の輝度レベルに対応する複数の係数を含む。
【００４２】
補正量選択装置２０は、赤色映像信号Ｒｉｎ用のガンマ選択装置２１、緑色映像信号Ｇｉｎ用のガンマ選択装置２２および青色映像信号Ｂｉｎ用のガンマ選択装置２３を含む。
【００４３】
図２に示すように、ガンマ選択装置２１は、第１段の３つのセレクタＳ１，Ｓ２，Ｓ３および第２段の１つのセレクタＳ４を含む。
【００４４】
セレクタＳ１は、ガンマメモリ装置２から読み出されるガンマ補正データＤＲ−Ａ〜ＤＲ−Ｃを受ける３つの入力端子および１つの出力端子を有する。セレクタＳ２は、ガンマメモリ装置２から読み出されるガンマ補正データＤＲ−Ｄ〜ＤＲ−Ｆを受ける３つの入力端子および１つの出力端子を有する。セレクタＳ３は、ガンマメモリ装置２から読み出されるガンマ補正データＤＲ−Ｇ〜ＤＲ−Ｉを受ける３つの入力端子および１つの出力端子を有する。
【００４５】
セレクタＳ４は、セレクタＳ１〜Ｓ３の出力端子にそれぞれ接続される３つの入力端子および１つの出力端子を有する。
【００４６】
図１のガンマ選択装置２２は、ガンマ選択装置２１と同様に、第１段の３つのセレクタおよび第２段の１つのセレクタを含む。ガンマ選択装置２２の第１段の３つのセレクタは、ガンマメモリ装置３から読み出されるガンマ補正データＤＧ−Ａ〜ＤＧ−Ｉを受ける。ガンマ選択装置２２の構成はガンマ選択装置２１の構成と同様である。
【００４７】
図１のガンマ選択装置２３は、ガンマ選択装置２１と同様に、第１段の３つのセレクタおよび第２段の１つのセレクタを含む。ガンマ選択装置２３の第１段の３つのセレクタは、ガンマメモリ装置４から読み出されるガンマ補正データＤＢ−Ａ〜ＤＢ−Ｉを受ける。ガンマ選択装置２３の構成はガンマ選択装置２１の構成と同様である。
【００４８】
表示画面分割装置１０は、第１の逓倍装置１１、第２の逓倍装置１２、第１のパルスカウント装置１３および第２のパルスカウント装置１４を含む。
【００４９】
第１の逓倍装置１１は、同期信号発生回路４００により発生された垂直同期信号ＶＳを３逓倍し、第１のパルス信号ＰＬＶを出力する。第２の逓倍装置１２は、同期信号発生回路４００により発生された水平同期信号ＨＳを３逓倍し、第２のパルス信号ＰＬＨを出力する。
【００５０】
第１のパルスカウント装置１３は、第１の逓倍装置１１から出力される第１のパルス信号ＰＬＶのパルスをカウントし、２ビットの第１のカウント信号ＣＴ１を出力する。第２のパルスカウント装置１４は、第２の逓倍装置１２から出力される第２のパルス信号ＰＬＨのパルスをカウントし、２ビットの第２のカウント信号ＣＴ２を出力する。
【００５１】
領域選択装置５０は、ディスプレイ２００の画面に設けられたタッチパネル、リモートコントローラ、ＣＰＵ（中央演算処理装置）、およびメモリ等の記憶装置からなる。この領域選択装置５０は、２ビットの垂直領域選択信号ＳＬＶ、２ビットの水平領域選択信号ＳＬＨおよび１ビットの制御信号ＣＮＴを出力する。使用者によるリモートコントローラの操作により、制御信号ＣＮＴの値が"０"または"１"に変化する。ホワイトバランスの調整時には、制御信号ＣＮＴの値は"０"に設定され、通常の視聴時には、制御信号ＣＮＴの値は"１"に設定される。
【００５２】
補正量固定装置６０は、２つのセレクタＳ１１，Ｓ１２を含む。セレクタＳ１１は、表示画面分割装置１０の第１のパルスカウント装置１３から出力される第１のカウント信号ＣＴ１および領域選択装置５０から出力される垂直領域選択信号ＳＬＶをそれぞれ受ける２つの入力端子および１つの出力端子を有する。セレクタＳ１２は、表示画面分割装置１０の第２のパルスカウント装置１４から出力される第２のカウント信号ＣＴ２および領域選択装置５０から出力される水平領域選択信号ＳＬＨをそれぞれ受ける２つの入力端子および１つの出力端子を有する。
【００５３】
セレクタＳ１１は、制御信号ＣＮＴに応答して第１のカウント信号ＣＴ１および垂直領域選択信号ＳＬＶのうち一方を第１の選択信号ＳＬ１として出力する。セレクタＳ１２は、制御信号ＣＮＴに応答して第２のカウント信号ＣＴ２および水平領域選択信号ＳＬＨのうち一方を第２の選択信号ＳＬ２として出力する。
【００５４】
図２のガンマ選択装置２１のセレクタＳ１〜Ｓ３の各々は、セレクタＳ１１から出力される第１の選択信号ＳＬ１に応答して、３つの入力端子のガンマ補正データのうちいずれかを選択的に出力する。セレクタＳ４は、セレクタＳ１２から出力される第２の選択信号ＳＬ２に応答して、３つの入力端子のガンマ補正データのうちいずれかを選択的に出力する。このようにして、ガンマ選択装置２１は、ガンマ補正データＤＲ−Ａ〜ＤＲ−Ｉのうちいずれかをガンマ補正データＤＲとして出力する。
【００５５】
同様に、図１のガンマ選択装置２２は、セレクタＳ１１から出力される第１の選択信号ＳＬ１およびセレクタＳ１２から出力される第２の選択信号ＳＬ２に応答して、ガンマ補正データＤＧ−Ａ〜ＤＧ−Ｉのうちいずれかをガンマ補正データＤＧとして出力する。
【００５６】
また、図１のガンマ選択装置２３は、セレクタＳ１１から出力される第１の選択信号ＳＬ１およびセレクタＳ１２から出力される第２の選択信号ＳＬ２に応答して、ガンマ補正データＤＢ−Ａ〜ＤＢ−Ｉのうちいずれかをガンマ補正データＤＢとして出力する。
【００５７】
ガンマ補正装置３０は、赤色映像信号Ｒｉｎ用のガンマ補正装置３１、緑色映像信号Ｇｉｎ用のガンマ補正装置３２および青色映像信号Ｂｉｎ用のガンマ補正装置３３を含む。
【００５８】
ガンマ補正装置３１には映像信号処理回路３００から出力される赤色映像信号Ｒｉｎが入力される。ガンマ補正装置３２には映像信号処理回路３００から出力される緑色映像信号Ｇｉｎが入力される。ガンマ補正装置３３には映像信号処理回路３００から出力される青色映像信号Ｂｉｎが入力される。
【００５９】
ガンマ補正装置３１は、入力された赤色映像信号Ｒｉｎに対してガンマ選択装置２１から出力されるガンマ補正データＤＲを用いてガンマ補正を行い、補正された赤色映像信号Ｒｏｕｔを出力する。この場合、ガンマ補正装置３１は、ガンマ補正データＤＲから赤色映像信号Ｒｉｎの輝度レベルに対応する係数を抽出し、抽出された係数を用いて赤色映像信号Ｒｉｎの輝度レベルを補正する。
【００６０】
ガンマ補正装置３２は、入力された緑色映像信号Ｇｉｎに対してガンマ選択装置２２から出力されるガンマ補正データＤＧを用いてガンマ補正を行い、補正された緑色映像信号Ｇｏｕｔを出力する。この場合、ガンマ補正装置３２は、ガンマ補正データＤＧから緑色映像信号Ｇｉｎの輝度レベルに対応する係数を抽出し、抽出された係数を用いて緑色映像信号Ｇｉｎの輝度レベルを補正する。
【００６１】
ガンマ補正装置３３は、入力された青色映像信号Ｂｉｎに対してガンマ選択装置２３から出力されるガンマ補正データＤＢを用いてガンマ補正を行い、補正された青色映像信号Ｂｏｕｔを出力する。この場合、ガンマ補正装置３３は、ガンマ補正データＢＧから青色映像信号Ｂｉｎの輝度レベルに対応する係数を抽出し、抽出された係数を用いて青色映像信号Ｂｉｎの輝度レベルを補正する。
【００６２】
ディスプレイ２００は、ＣＲＴ（陰極線管）等からなり、ガンマ補正装置３０から出力される赤色映像信号Ｒｏｕｔ、緑色映像信号Ｇｏｕｔおよび青色映像信号Ｂｏｕｔに基づいて画面上に映像を表示する。
【００６３】
（２）ホワイトバランス調整装置の動作
図３は表示画面分割装置１０の第１の逓倍装置１１および第１のパルスカウント装置１３の動作を示すタイミングチャート、図４は表示画面分割装置１０の第２の逓倍装置１２および第２のパルスカウント装置１４の動作を示すタイミングチャートである。
【００６４】
図３には、垂直同期信号ＶＳ、第１のパルス信号ＰＬＶおよび第１のカウント信号ＣＴ１が示される。また、図４には、水平同期信号ＨＳ、第２のパルス信号ＰＬＨおよび第２のカウント信号ＣＴ２が示される。
【００６５】
なお、図３の第１のカウント信号ＣＴ１および図４の第２のカウント信号ＣＴ２については、それぞれ２ビットで表される２進数の値を１０進数の値で示している。また、図４では、各信号の時間軸を図２の各信号の時間軸に比べて拡大して示している。
【００６６】
図３に示すように、第１の逓倍装置１１から出力される第１のパルス信号ＰＬＶは、垂直同期信号ＶＳの３倍の周波数を有する。それにより、第１のパルスカウント装置１３から出力される第１のカウント信号ＣＴ１の値は、"０"、"１"および"２"の順に変化する。
【００６７】
図４に示すように、第２の逓倍装置１２から出力される第２のパルス信号ＰＬＨは、水平同期信号ＨＳの３倍の周波数を有する。それにより、第２のパルスカウント装置１４から出力される第２のカウント信号ＣＴ２の値は、"０"、"１"および"２"の順に変化する。
【００６８】
図５はホワイトバランスの調整時に補正量固定装置６０から出力される第１および第２の選択信号ＳＬ１，ＳＬ２の値とガンマ補正データＤＲ−Ａ〜ＤＲ−Ｉ，ＤＧ−Ａ〜ＤＧ−Ｉ，ＤＢ−Ａ〜ＤＢ−Ｉとの対応関係を示す対応表を示す図である。
【００６９】
領域選択装置５０は、ホワイトバランスの調整時には、制御信号ＣＮＴの値を"０"に設定する。それにより、セレクタＳ１１は、第１のパルスカウント装置１３から出力される第１のカウント信号ＣＴ１を第１の選択信号ＳＬ１としてガンマ選択装置２１，２２，２３に与える。また、セレクタＳ１２は、第２のパルスカウント装置１４から出力される第２のカウント信号ＣＴ２を第２の選択信号ＳＬ２としてガンマ選択装置２１，２２，２３に与える。
【００７０】
この場合、ガンマ選択装置２１は、ガンマ補正データＤＲ−Ａ，ＤＲ−Ｄ，ＤＲ−Ｇ，ＤＲ−Ｂ，ＤＲ−Ｅ，ＤＲ−Ｈ，ＤＲ−Ｃ，ＤＲ−Ｆ，ＤＲ−Ｉをこの順に出力する。
【００７１】
同様に、ガンマ選択装置２２は、ガンマ補正データＤＧ−Ａ，ＤＧ−Ｄ，ＤＧ−Ｇ，ＤＧ−Ｂ，ＤＧ−Ｅ，ＤＧ−Ｈ，ＤＧ−Ｃ，ＤＧ−Ｆ，ＤＧ−Ｉをこの順に出力する。
【００７２】
また、ガンマ選択装置２３は、ガンマ補正データＤＢ−Ａ，ＤＢ−Ｄ，ＤＢ−Ｇ，ＤＢ−Ｂ，ＤＢ−Ｅ，ＤＢ−Ｈ，ＤＢ−Ｃ，ＤＢ−Ｆ，ＤＢ−Ｉをこの順に出力する。
【００７３】
図６はホワイトバランスの調整時のディスプレイ２００の画面を示す図である。
【００７４】
図６に示すように、ディスプレイ２００の画面２０１が垂直方向に３分割され、水平方向に３分割されている。それにより、画面２０１が９個の領域Ａ〜Ｉに分割されている。領域Ａ〜Ｉには、ガンマ補正データＤＲ−Ａ〜ＤＲ−Ｉ，ＤＧ−Ａ〜ＤＧ−Ｉ，ＤＢ−Ａ〜ＤＢ−Ｉを用いてガンマ補正された９種類の映像がそれぞれ表示される。それにより、これらの映像は異なるホワイトバランスを有する。
【００７５】
使用者は、ディスプレイ２００の画面２０１に設けられたタッチパネルを押すことにより画面２０１の９個の領域Ａ〜Ｉのうちいずれか１つを選択する。それにより、図１の領域選択装置５０は、制御信号ＣＮＴの値を"１"に設定する。また、領域選択装置５０は、使用者により選択された領域に応じて垂直領域選択信号ＳＬＶおよび水平領域選択信号ＳＬＨの値を設定する。
【００７６】
例えば、使用者が領域Ｆを選択した場合には、垂直領域選択信号ＳＬＶの値が"２"に設定され、水平領域選択信号ＳＬＨの値が"１"に設定される。設定された垂直領域選択信号ＳＬＶおよび水平領域選択信号ＳＬＨの値は領域選択装置５０の記憶装置に記憶される。
【００７７】
なお、ホワイトバランスの調整前の垂直領域選択信号ＳＬＶおよび水平領域選択信号ＳＬＨの値も領域選択装置５０の記憶装置に記憶される。
【００７８】
補正量固定装置６０のセレクタＳ１１は、領域選択装置５０から出力される垂直領域選択信号ＳＬＶを第１の選択信号ＳＬ１としてガンマ選択装置２１，２２，２３に与える。また、補正量固定装置６０のセレクタＳ１２は、領域選択装置５０から出力される水平領域選択信号ＳＬＨを第２の選択信号ＳＬ２としてガンマ選択装置２１，２２，２３に与える。
【００７９】
この場合、第１の選択信号ＳＬ１および第２の選択信号ＳＬ２に基づいて、ガンマ選択装置２１がガンマ補正データＤＲ−Ａ〜ＤＲ−Ｉのうちいずれかを選択的に出力し、ガンマ選択装置２２がガンマ補正データＤＧ−Ａ〜ＤＧ−Ｉのうちいずれかを選択的に出力し、ガンマ選択装置２３がガンマ補正データＤＢ−Ａ〜ＤＢ−Ｉのうちいずれかを選択的に出力する。
【００８０】
その結果、９個の領域Ａ〜Ｉのうち使用者により選択された領域の映像が画面２０１の全体に表示される。
【００８１】
このようにして、ホワイトバランスの調整時に、ディスプレイ２００の画面２０１の９個の領域Ａ〜Ｉに異なるガンマ補正データを用いてガンマ補正された複数の映像が同時に表示される。それにより、使用者は、異なるホワイトバランスを有する複数の映像を同時に見ながら比較することができる。したがって、使用者は、微妙な違いを有する複数のホワイトバランスから自分の好みに合った適切なホワイトバランスを有する映像を容易かつ正確に選択することができる。その結果、ディスプレイ２００の画面２０１に適切にホワイトバランスが調整された映像を表示することができる。
【００８２】
（３）映像表示装置の動作の流れ
図７は図１の映像表示装置の動作の流れを示すフローチャートである。
【００８３】
通常の視聴時には、領域選択装置５０は制御信号ＣＮＴの値を"１"に設定する。また、領域選択装置５０は、垂直領域選択信号ＳＬＶおよび水平領域選択信号ＳＬＨの値を記憶装置に記憶された値に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の全体に映像が表示される（ステップＳ１）。
【００８４】
ホワイトバランスの調整時には、使用者はリモートコントローラを用いてホワイトバランスの調整を指示する。領域選択装置５０のＣＰＵは、使用者によりホワイトバランスの調整が指示されたか否かを判定する（ステップＳ２）。
【００８５】
ホワイトバランスの調整が指示された場合には、領域選択装置５０は制御信号ＣＮＴの値を"０"に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の複数の領域に異なるホワイトバランスを有する映像がそれぞれ表示される。本実施の形態では、ディスプレイ２００の画面２０１の９個の領域Ａ〜Ｉに異なるホワイトバランスを有する映像がそれぞれ表示される（ステップＳ３）。
【００８６】
その後、使用者は、ディスプレイ２００の画面２０１の領域Ａ〜Ｉに表示された異なるホワイトバランスを有する複数の映像を見比べ、画面２０１のタッチパネルを押すことにより、領域Ａ〜Ｉのいずれかを選択する。領域選択装置５０のＣＰＵは、使用者により領域Ａ〜Ｉのいずれかが選択されたか否かを判定する（ステップＳ４）。
【００８７】
使用者により領域Ａ〜Ｉのいずれかが選択されない場合には、領域選択装置５０は待機する。使用者により領域Ａ〜Ｉのいずれかが選択された場合には、領域選択装置５０は制御信号ＣＮＴの値を"１"に設定する。また、領域選択装置５０は、垂直領域選択信号ＳＬＶおよび水平領域選択信号ＳＬＨの値を使用者により選択された領域に対応する値に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の全体に映像が表示される（ステップＳ５）。この場合、領域選択装置５０は、使用者により選択された領域に対応する垂直領域選択信号ＳＬＶおよび水平領域選択信号ＳＬＨの値を記憶装置に記憶する。
【００８８】
使用者は、ホワイトバランスを再調整したい場合には、リモートコントローラを用いてホワイトバランスの再調整を指示する。領域選択装置５０のＣＰＵは、使用者によりホワイトバランスの再調整が指示されたか否かを判定する（ステップＳ６）。
【００８９】
ホワイトバランスの再調整が指示された場合には、領域選択装置５０は制御信号ＣＮＴの値を"０"に設定する。また、領域選択装置５０は、記憶装置に記憶された値に基づいて垂直領域選択信号ＳＬＶおよび水平領域選択信号ＳＬＨの値を今回のホワイトバランスの調整前の値に設定する。それにより、ガンマ補正装置３０から出力される赤色映像信号Ｒｏｕｔ、緑色映像信号Ｇｏｕｔおよび青色映像信号Ｂｏｕｔに基づいてディスプレイ２００の画面２０１の全体に今回の調整前のホワイトバランスを有する映像が表示される（ステップＳ７）。
【００９０】
その後、ステップＳ２に戻り、ステップＳ２〜Ｓ７の処理が繰り返し行われる。なお、ステップＳ２でホワイトバランスの調整が指示されない場合、およびステップＳ６でホワイトバランスの再調整が指示されない場合には、ステップＳ２に戻る。
【００９１】
このように、ホワイトバランスの調整後に再度調整を行う場合には、調整前のホワイトバランスを有する映像がディスプレイ２００の画面２０１の全体に表示される。それにより、使用者は、映像をホワイトバランスを調整前の状態に容易に戻すことができる。
【００９２】
（４）請求項の各構成要素と実施の形態の各部との対応
上記実施の形態では、ディスプレイ２００が表示装置に相当し、ガンマデータ記憶装置１が記憶部に相当し、表示画面分割装置１０、補正量選択装置２０および補正量固定装置６０が第１の選択部に相当し、ガンマ補正装置３０が補正部に相当し、領域選択装置５０が調整指示部、再調整指示部、第２の選択部、制御部および保持部に相当する。特に、領域選択装置５０のリモートコントローラが調整指示部および再調整指示部に相当し、領域選択装置５０のタッチパネルが第２の選択部に相当し、領域選択装置５０のＣＰＵが制御部に相当し、領域選択装置５０の記憶装置が保持部に相当する。
【００９３】
また、映像信号処理回路３００が信号処理部に相当し、同期信号発生回路４００が同期信号発生部に相当する。さらに、表示画面分割回路１０が選択信号発生部に相当し、補正量選択装置２０がデータ選択部に相当する。
【００９４】
また、赤色映像信号Ｒｉｎ、緑色映像信号Ｇｉｎおよび青色映像信号Ｂｉｎが第１の原色信号、第２の原色信号および第３の原色信号に相当する。ガンマ補正データＤＲ−Ａ〜ＤＲ−Ｉ、ガンマ補正データＤＧ−Ａ〜ＤＧ−Ｉおよびガンマ補正データＤＢ−Ａ〜ＤＢ−Ｉが第１の補正データ、第２の補正データおよび第３の補正データに相当する。
【００９５】
（５）他の実施の形態
上記実施の形態では、ディスプレイ２００の画面２０１が縦および横に３分割されることにより画面２０１が９個の領域Ａ〜Ｉに分割されているが、これに限定されず、画面２０１が任意の数の領域に分割されてもよい。
【００９６】
表示装置としてＣＲＴからなるディスプレイ２００の代わりに液晶表示パネル、プラズマディスプレイパネル等の種々の表示装置を用いることができる。
【００９７】
記憶部として３つのガンマメモリ装置２，３，４からなるガンマメモリ装置３の代わりに１つの記憶装置を用いてもよい。また、記憶部としては、不揮発性メモリ、ＲＯＭ（リードオンリメモリ）等の種々の半導体メモリ、光学記録媒体、磁気記録媒体、光磁気記録媒体等の種々の記憶装置を用いることができる。
【００９８】
第１の選択部として表示画面分割装置１０、補正量選択装置２０および補正量固定装置６０の代わりに複数のスイッチおよび論理回路からなる種々の選択回路を用いてもよい。
【００９９】
補正部としてガンマ補正装置３０の代わりに記憶装置からなるルックアップテーブルまたは演算装置を用いてもよい。
【０１００】
調整指示部および再調整指示部としてリモートコントローラの代わりにディスプレイ２００にスイッチを設けてもよい。
【０１０１】
第２の選択部としてタッチパネルの代わりに複数のキーを有するリモートコントローラ等の他の操作装置を用いてもよい。
【０１０２】
制御部としてＣＰＵの代わりにＭＰＵ（マイクロプロセッシングユニット）等の種々の処理装置を用いてもよい。保持部として、不揮発性メモリ、ＲＯＭ（リードオンリメモリ）等の種々の半導体メモリ、光学記録媒体、磁気記録媒体、光磁気記録媒体等の種々の記憶装置を用いることができる。
【０１０３】
信号処理部として映像信号処理回路３００の代わりに他の原色信号を出力する信号処理回路を用いてもよい。
【０１０４】
選択信号発生部として表示画面分割装置１０の代わりに他の論理回路を用いてもよい。データ選択部として補正量選択装置２０の代わりに複数のスイッチおよび論理回路からなる種々の選択回路を用いてもよい。
【０１０５】
上記実施の形態では、ホワイトバランスの調整時にディスプレイ２００の画面２０１の複数の領域に同じ形態の映像が表示されるが、ホワイトバランスの調整時にディスプレイ２００の画面２０１の複数の領域に異なる形態の映像が表示されてもよい。
【産業上の利用可能性】
【０１０６】
本発明は、各種映像表示装置に表示される映像のホワイトバランスの調整に利用することができる。
【図面の簡単な説明】
【０１０７】
【図１】図１は本発明の一実施の形態に係るホワイトバランス調整装置を備えた映像表示装置の構成を示すブロック図
【図２】図２は図１における補正量選択装置の一部の詳細な構成を示すブロック図
【図３】図３は表示画面分割装置の第１の逓倍装置および第１のパルスカウント装置の動作を示すタイミングチャート
【図４】図４は表示画面分割装置の第２の逓倍装置および第２のパルスカウント装置の動作を示すタイミングチャート
【図５】図５はホワイトバランスの調整時に補正量固定装置から出力される第１および第２の選択信号の値とガンマ補正データとの対応関係を示す対応表を示す図
【図６】図６はホワイトバランスの調整時のディスプレイの画面を示す図
【図７】図７は図１の映像表示装置の動作の流れを示すフローチャート
【手続補正３】
【補正対象書類名】図面
【補正対象項目名】全図
【補正方法】変更
【補正の内容】
【図１】
2005076637.tif 000009
【図２】
2005076637.tif 000010
【図３】
2005076637.tif 000011
【図４】
2005076637.tif 000012
【図５】
2005076637.tif 000013
【図６】
2005076637.tif 000014
【図７】
2005076637.tif 000015
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
画面の複数の領域にそれぞれ映像を表示可能な表示装置に用いられ、異なる色にそれぞれ対応する第１、第２および第３の原色信号により表示される映像のホワイトバランスを調整するホワイトバランス調整装置であって、
第１の原色信号のガンマ補正のための複数の第１の補正データ、第２の原色信号のガン
マ補正のための複数の第２の補正データおよび第３の原色信号のガンマ補正のための複数
の第３の補正データを記憶する記憶部と、
垂直同期信号及び水平同期信号を発生する同期信号発生部と、
前記同期信号発生部により発生した垂直同期信号及び水平同期信号を、表示する領域数に応じた倍数で逓倍する逓倍装置と、
前記逓倍装置から出力されるパルス数をカウントすることによりカウント信号を出力するカウント装置と、
前記カウント信号に応答して前記記憶部に記憶される複数の第１の補正データのいずれか、複数の第２の補正データのいずれかおよび複数の第３の補正データのいずれかを選択するデータ選択部と、
入力された第１、第２および第３の原色信号を前記データ選択部により選択された第１、第２および第３の補正データを用いてガンマ補正する補正部と、
ホワイトバランスの調整を指示する調整指示部とを備え、
前記データ選択部は、前記調整指示部によりホワイトバランスの調整が指示された場合に、前記表示装置の画面の複数の領域にそれぞれ対応して第１、第２および第３の補正データの異なる複数の組み合わせを選択し、
前記補正部は、前記複数の領域に異なるホワイトバランスを有する映像をそれぞれ表示するために、入力された第１、第２および第３の原色信号を前記データ選択部により選択された異なる複数の組み合わせの第１、第２および第３の補正データを用いて補正するホワイトバランス調整装置。
【請求項２】
前記表示装置の画面の複数の領域にそれぞれ表示された複数の映像のうちいずれかを選択する第２の選択部と、
前記第２の選択部により選択された映像に対応する第１、第２および第３の補正データの１つの組み合わせが選択されるように前記データ選択部を制御する制御部とをさらに備え、
前記補正部は、前記表示装置の全画面に映像を表示するための第１、第２および第３の原色信号を前記データ選択部により選択された１つの組み合わせの第１、第２および第３の補正データを用いて補正する、請求項１記載のホワイトバランス調整装置。
【請求項３】
ホワイトバランスの調整後にホワイトバランスの再調整を指示する再調整指示部をさらに備え、
前記制御部は、前記再調整指示部により再調整が指示された場合に、現在のホワイトバランスの調整前に前記表示装置の全画面に表示された映像のホワイトバランスで前記表示装置の全画面に映像が表示されるように前記データ選択部を制御する、請求項２記載のホワイトバランス調整装置。
【請求項４】
ホワイトバランスの調整前に前記表示装置の全画面に表示された映像に対応する第１、第２および第３の補正データの組み合わせを保持する保持部をさらに備え、
前記制御部は、前記再調整指示部により再調整が指示された場合に、前記保持部に保持された第１、第２および第３の補正データの組み合わせが選択されるように前記データ選択部を制御する、請求項３記載のホワイトバランス調整装置。
【請求項５】
前記第２の選択部は、前記表示装置の画面に設けられるタッチパネルを含む、請求項２から４のいずれかに記載のホワイトバランス調整装置。
【請求項６】
画面を有する表示装置と、
前記表示装置の画面に映像を表示するために異なる色にそれぞれ対応する第１、第２および第３の原色信号を発生する信号処理部と、
前記表示装置の画面に表示される映像のホワイトバランスを調整するホワイトバランス調整装置とを備え、
前記ホワイトバランス調整装置は、
第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、
垂直同期信号及び水平同期信号を発生する同期信号発生部と、
前記同期信号発生部により発生した垂直同期信号及び水平同期信号を、表示する領域数に応じた倍数で逓倍する逓倍装置と、
前記逓倍装置から出力されるパルス数をカウントすることによりカウント信号を出力するカウント装置と、
前記カウント信号に応答して前記記憶部に記憶される複数の第１の補正データのいずれか、複数の第２の補正データのいずれかおよび複数の第３の補正データのいずれかを選択するデータ選択部と、
前記信号処理部により発生された第１、第２および第３の原色信号を前記データ選択部により選択された第１、第２および第３の補正データを用いてガンマ補正する補正部と、
ホワイトバランスの調整を指示する調整指示部とを含み、
前記データ選択部は、前記調整指示部によりホワイトバランスの調整が指示された場合に、前記表示装置の画面の複数の領域にそれぞれ対応して第１、第２および第３の補正データの異なる複数の組み合わせを選択し、
前記補正部は、前記信号処理部により発生された第１、第２および第３の原色信号を前記データ選択部により選択された異なる複数の組み合わせの第１、第２および第３の補正データを用いて補正し、
前記表示装置は、前記補正部により補正された第１、第２および第３の補正データに基づいて前記複数の領域に異なるホワイトバランスを有する映像をそれぞれ表示する、映像表示装置。
【請求項７】
前記ホワイトバランス調整装置は、
前記表示装置の画面の複数の領域にそれぞれ表示された複数の映像のうちいずれかを選択する第２の選択部と、
前記第２の選択部により選択された映像に対応する第１、第２および第３の補正データの１つの組み合わせが選択されるように前記データ選択部を制御する制御部とをさらに備え、
前記補正部は、前記信号処理部により発生された第１、第２および第３の原色信号を前記データ選択部により選択された１つの組み合わせの第１、第２および第３の補正データを用いて補正し、
前記表示装置は、前記補正部により補正された第１、第２および第３の原色信号に基づいて映像を全画面に表示する、前記請求項６記載の映像表示装置。
【請求項８】
前記ホワイトバランス調整装置は、
ホワイトバランスの調整後にホワイトバランスの再調整を指示する再調整指示部をさらに含み、
前記制御部は、前記再調整指示部によりホワイトバランスの再調整が指示された場合に、現在のホワイトバランスの調整前に前記表示装置の全画面に表示された映像のホワイトバランスで前記表示装置の全画面に映像が表示されるように前記データ選択部を制御する、請求項７記載の映像表示装置。
【請求項９】
前記ホワイトバランス調整装置は、
ホワイトバランスの調整前に前記表示装置の全画面に表示された映像に対応する第１、第２および第３の補正データの組み合わせを保持する保持部をさらに含み、
前記制御部は、前記再調整指示部により再調整が指示された場合に、前記保持部に保持された第１、第２および第３の補正データの組み合わせが選択されるように前記データ選択部を制御する、請求項８記載の映像表示装置。
【請求項１０】
前記第２の選択部は、前記表示装置の画面に設けられるタッチパネルを含む、請求項７から９のいずれかに記載の映像表示装置。
【請求項１１】
前記信号処理部は、前記調整指示部によりホワイトバランスの調整が指示された場合に、前記表示装置の画面の複数の領域に同じ形態の映像が表示されるように第１、第２および第３の原色信号を発生する、請求項６から１０のいずれかに記載の映像表示装置。
【請求項１２】
垂直同期信号および水平同期信号を発生する同期信号発生部をさらに備え、
前記データ選択部は、前記同期信号発生部により発生される垂直同期信号および水平同期信号に基づいて前記表示装置の画面の複数の領域を順に選択する選択信号を発生する選択信号発生部と、
前記選択信号発生部により発生された選択信号に基づいて前記表示装置の画面の複数の領域にそれぞれ対応する第１、第２および第３の補正データの異なる複数の組み合わせを順に選択するデータ選択部とを含む、請求項６〜１１のいずれかに記載の映像表示装置。
【手続補正２】
【補正対象書類名】明細書
【補正対象項目名】０００８
【補正方法】変更
【補正の内容】
【０００８】
本発明の一局面に従うホワイトバランス調整装置は、画面の複数の領域にそれぞれ映像を表示可能な表示装置に用いられ、異なる色にそれぞれ対応する第１、第２および第３の原色信号により表示される映像のホワイトバランスを調整するホワイトバランス調整装置であって、第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、垂直同期信号及び水平同期信号を発生する同期信号発生部と、同期信号発生部により発生した垂直同期信号及び水平同期信号を、表示する領域数に応じた倍数で逓倍する逓倍装置と、逓倍装置から出力されるパルス数をカウントすることによりカウント信号を出力するカウント装置と、カウント信号に応答して記憶部に記憶される複数の第１の補正データのいずれか、複数の第２の補正データのいずれかおよび複数の第３の補正データのいずれかを選択するデータ選択部と、入力された第１、第２および第３の原色信号をデータ選択部により選択された第１、第２および第３の補正データを用いてガンマ補正する補正部と、ホワイトバランスの調整を指示する調整指示部とを備え、データ選択部は、調整指示部によりホワイトバランスの調整が指示された場合に、表示装置の画面の複数の領域にそれぞれ対応して第１、第２および第３の補正データの異なる複数の組み合わせを選択し、補正部は、複数の領域に異なるホワイトバランスを有する映像をそれぞれ表示するために、入力された第１、第２および第３の原色信号をデータ選択部により選択された異なる複数の組み合わせの第１、第２および第３の補正データを用いて補正する。
【手続補正３】
【補正対象書類名】明細書
【補正対象項目名】０００９
【補正方法】変更
【補正の内容】
【０００９】
そのホワイトバランス調整装置においては、記憶部に複数の第１の補正データ、複数の第２の補正データおよび複数の第３の補正データが記憶される。使用者が調整指示部によりホワイトバランスの調整を指示すると、表示装置の画面の複数の領域にそれぞれ対応して第１、第２および第３の補正データの異なる複数の組み合わせがデータ選択部により選択され、入力された第１、第２および第３の原色信号が選択された異なる複数の組み合わせの第１、第２および第３の補正データを用いて補正される。その結果、表示装置の画面の複数の領域に異なるホワイトバランスを有する映像がそれぞれ表示される。
【手続補正４】
【補正対象書類名】明細書
【補正対象項目名】００１１
【補正方法】変更
【補正の内容】
【００１１】
ホワイトバランス調整装置は、表示装置の画面の複数の領域にそれぞれ表示された複数の映像のうちいずれかを選択する第２の選択部と、第２の選択部により選択された映像に対応する第１、第２および第３の補正データの１つの組み合わせが選択されるようにデータ選択部を制御する制御部とをさらに備え、補正部は、表示装置の全画面に映像を表示するための第１、第２および第３の原色信号をデータ選択部により選択された１つの組み合わせの第１、第２および第３の補正データを用いて補正してもよい。
【手続補正５】
【補正対象書類名】明細書
【補正対象項目名】００１３
【補正方法】変更
【補正の内容】
【００１３】
ホワイトバランス調整装置は、ホワイトバランスの調整後にホワイトバランスの再調整を指示する再調整指示部をさらに備え、制御部は、再調整指示部により再調整が指示された場合に、現在のホワイトバランスの調整前に表示装置の全画面に表示された映像のホワイトバランスで表示装置の全画面に映像が表示されるようにデータ選択部を制御してもよい。
【手続補正６】
【補正対象書類名】明細書
【補正対象項目名】００１５
【補正方法】変更
【補正の内容】
【００１５】
ホワイトバランス調整装置は、ホワイトバランスの調整前に表示装置の全画面に表示された映像に対応する第１、第２および第３の補正データの組み合わせを保持する保持部をさらに備え、制御部は、再調整指示部により再調整が指示された場合に、保持部に保持された第１、第２および第３の補正データの組み合わせが選択されるようにデータ選択部を制御してもよい。
【手続補正７】
【補正対象書類名】明細書
【補正対象項目名】００１８
【補正方法】変更
【補正の内容】
【００１８】
本発明の他の局面に従うホワイトバランス調整装置は、画面を有する表示装置と、表示装置の画面に映像を表示するために異なる色にそれぞれ対応する第１、第２および第３の原色信号を発生する信号処理部と、表示装置の画面に表示される映像のホワイトバランスを調整するホワイトバランス調整装置とを備え、ホワイトバランス調整装置は、第１の原色信号のガンマ補正のための複数の第１の補正データ、第２の原色信号のガンマ補正のための複数の第２の補正データおよび第３の原色信号のガンマ補正のための複数の第３の補正データを記憶する記憶部と、垂直同期信号及び水平同期信号を発生する同期信号発生部と、同期信号発生部により発生した垂直同期信号及び水平同期信号を、表示する領域数に応じた倍数で逓倍する逓倍装置と、逓倍装置から出力されるパルス数をカウントすることによりカウント信号を出力するカウント装置と、カウント信号に応答して記憶部に記憶される複数の第１の補正データのいずれか、複数の第２の補正データのいずれかおよび複数の第３の補正データのいずれかを選択するデータ選択部と、信号処理部により発生された第１、第２および第３の原色信号をデータ選択部により選択された第１、第２および第３の補正データを用いてガンマ補正する補正部と、ホワイトバランスの調整を指示する調整指示部とを含み、データ選択部は、調整指示部によりホワイトバランスの調整が指示された場合に、表示装置の画面の複数の領域にそれぞれ対応して第１、第２および第３の補正データの異なる複数の組み合わせを選択し、補正部は、信号処理部により発生された第１、第２および第３の原色信号をデータ選択部により選択された異なる複数の組み合わせの第１、第２および第３の補正データを用いて補正し、表示装置は、補正部により補正された第１、第２および第３の補正データに基づいて複数の領域に異なるホワイトバランスを有する映像をそれぞれ表示する。
【手続補正８】
【補正対象書類名】明細書
【補正対象項目名】００２０
【補正方法】変更
【補正の内容】
【００２０】
そのホワイトバランス調整装置においては、記憶部に複数の第１の補正データ、複数の第２の補正データおよび複数の第３の補正データが記憶される。使用者が調整指示部によりホワイトバランスの調整を指示すると、表示装置の画面の複数の領域にそれぞれ対応して第１、第２および第３の補正データの異なる複数の組み合わせがデータ選択部により選択され、入力された第１、第２および第３の原色信号が選択された異なる複数の組み合わせの第１、第２および第３の補正データを用いて補正される。その結果、表示装置の画面の複数の領域に異なるホワイトバランスを有する映像がそれぞれ表示される。
【手続補正９】
【補正対象書類名】明細書
【補正対象項目名】００２２
【補正方法】変更
【補正の内容】
【００２２】
ホワイトバランス調整装置は、表示装置の画面の複数の領域にそれぞれ表示された複数の映像のうちいずれかを選択する第２の選択部と、第２の選択部により選択された映像に対応する第１、第２および第３の補正データの１つの組み合わせが選択されるようにデータ選択部を制御する制御部とをさらに備え、補正部は、信号処理部により発生された第１、第２および第３の原色信号をデータ選択部により選択された１つの組み合わせの第１、第２および第３の補正データを用いて補正し、表示装置は、補正部により補正された第１、第２および第３の原色信号に基づいて映像を全画面に表示してもよい。
【手続補正１０】
【補正対象書類名】明細書
【補正対象項目名】００２３
【補正方法】変更
【補正の内容】
【００２３】
使用者は、第２の選択部により表示装置の画面の複数の領域にそれぞれ表示された複数の映像のうちいずれかを選択することができる。この場合、選択された映像に対応する１、第２および第３の補正データの１つの組み合わせが選択されるように制御部によりデータ選択部が制御される。それにより、選択された１つの組み合わせの第１、第２および第３の補正データを用いて第１、第２および第３の原色信号が補正され、補正された第１、第２および第３の原色信号に基づいて表示装置の全画面に映像が表示される。その結果、適切なホワイトバランスを有する映像を表示装置の全画面に表示することができる。
【手続補正１１】
【補正対象書類名】明細書
【補正対象項目名】００２４
【補正方法】変更
【補正の内容】
【００２４】
ホワイトバランス調整装置は、ホワイトバランスの調整後にホワイトバランスの再調整を指示する再調整指示部をさらに含み、制御部は、再調整指示部によりホワイトバランスの再調整が指示された場合に、現在のホワイトバランスの調整前に表示装置の全画面に表示された映像のホワイトバランスで表示装置の全画面に映像が表示されるようにデータ選択部を制御してもよい。
【手続補正１２】
【補正対象書類名】明細書
【補正対象項目名】００２６
【補正方法】変更
【補正の内容】
【００２６】
ホワイトバランス調整装置は、ホワイトバランスの調整前に表示装置の全画面に表示された映像に対応する第１、第２および第３の補正データの組み合わせを保持する保持部をさらに含み、制御部は、再調整指示部により再調整が指示された場合に、保持部に保持された第１、第２および第３の補正データの組み合わせが選択されるようにデータ選択部を制御してもよい。
【手続補正１３】
【補正対象書類名】明細書
【補正対象項目名】００３１
【補正方法】変更
【補正の内容】
【００３１】
映像表示装置は、垂直同期信号および水平同期信号を発生する同期信号発生部をさらに備え、データ選択部は、同期信号発生部により発生される垂直同期信号および水平同期信号に基づいて表示装置の画面の複数の領域を順に選択する選択信号を発生する選択信号発生部と、選択信号発生部により発生された選択信号に基づいて表示装置の画面の複数の領域にそれぞれ対応する第１、第２および第３の補正データの異なる複数の組み合わせを順に選択するデータ選択部とを含んでもよい。
【国際調査報告】
2005076637.tif 000016
2005076637.tif 000017
2005076637.tif 000018
2005076637.tif 000019